(57)【特許請求の範囲】
【請求項１】
上位装置に対して、親機と子機とからなるコードレス通信装置が複数接続されると共に、前記親機と前記子機との間では、単位通信期間を複数のスロットに分割し、親機から子機への通信と子機から親機への通信のそれぞれにおいて、１つ又は２つのスロットを用いてＴＤＭＡ（Time Division Multiple Access；時分割多元接続）／ＴＤＤ（Time Division Duplex；時分割複信）方式の無線通信を行うようにする無線通信システムにおいて、
前記上位装置は、
自機に接続された複数の前記コードレス通信装置の識別情報と、前記コードレス通信装置ごとの使用スロット数とを記憶する記憶手段と、
前記親機からの使用しているスロット数を特定可能な通知情報に基づいて、前記記憶手段の格納データを更新するスロット管理手段と、
前記コードレス通信装置が通話を開始する場合に、前記記憶手段の格納データに基づいて、使用するスロット数を決定し、スロット数を制御する制御信号を、通話を開始する前記コードレス通信装置に提供するスロット制御手段と
を備え、
前記コードレス通信装置は、
前記親機が、
使用しているスロットの数が変わるごとに、自機において使用しているスロット数を特定可能な前記通知情報を形成して、前記上位装置に通知する通知手段と、
通話を開始する場合に、前記上位装置からの前記制御信号に応じた数のスロットを用いて、通話を行うようにする制御手段と
を備えることを特徴とする無線通信システム。
【請求項２】
請求項１に記載の無線通信システムであって、
前記上位装置は、
通話回線を接続している前記コードレス通信装置が存在する場合に、前記記憶手段の格納データに基づいて、通話回線を接続している前記コードレス通信端末ごとに使用するスロット数の変更の要否を判別する判別手段を備え、
前記判別手段で使用するスロット数の変更が必要であると判別された場合に、当該判別結果に基づいてスロット数の変更を指示する変更制御信号を形成し、通話回線を接続している目的とする前記コードレス通信装置に提供するスロット変更制御手段と
を備え、
前記コードレス通信装置において、
前記親機は、
前記上位装置からスロット数の変更を指示する前記変更制御信号を受信した場合に、前記変更制御信号に応じて通話に使用するスロットの数を変更する変更制御手段を備えることを特徴とする無線通信システム。
【請求項３】
請求項１または請求項２に記載の無線通信システムであって、
前記上位装置において、
前記記憶手段には、優先的に２つのスロットを用いて通話を行える前記コードレス通信装置を特定するための優先情報が記憶されており、
前記スロット制御手段は、前記記憶手段の前記優先情報を考慮して、使用するスロット数を決定することを特徴とする無線通信システム。
【請求項４】
請求項２に記載の無線通信システムであって、
前記上位装置において、
前記記憶手段には、優先的に２つのスロットを用いて通話を行える前記コードレス通信装置を特定するための優先情報が記憶されており、
前記判別手段は、前記記憶手段の前記優先情報を考慮して、通話回線を接続している前記コードレス通信端末ごとに使用するスロット数の変更の要否を判別することを特徴とする無線通信システム。
【請求項５】
上位装置に対して、親機と子機とからなるコードレス通信装置が複数接続されると共に、前記親機と前記子機との間では、単位通信期間を複数のスロットに分割し、親機から子機への通信と子機から親機への通信のそれぞれにおいて、１つ又は２つのスロットを用いてＴＤＭＡ（Time Division Multiple Access；時分割多元接続）／ＴＤＤ（Time Division Duplex；時分割複信）方式の無線通信を行うようにする無線通信システムの前記上位装置であって、
自機に接続された複数の前記コードレス通信装置の識別情報と、前記コードレス通信装置ごとの使用スロット数とを記憶する記憶手段と、
前記親機からの使用しているスロット数を特定可能な通知情報に基づいて、前記記憶手段の格納データを更新するスロット管理手段と、
前記コードレス通信装置が通話を開始する場合に、前記記憶手段の格納データに基づいて、使用するスロット数を決定し、スロット数を制御する制御信号を、通話を開始する前記コードレス通信装置に提供するスロット制御手段と
を備えることを特徴とする上位装置。
【請求項６】
上位装置に対して、親機と子機とからなるコードレス通信装置が複数接続されると共に、前記親機と前記子機との間では、単位通信期間を複数のスロットに分割し、親機から子機への通信と子機から親機への通信のそれぞれにおいて、１つ又は２つのスロットを用いてＴＤＭＡ（Time Division Multiple Access；時分割多元接続）／ＴＤＤ（Time Division Duplex；時分割複信）方式の無線通信を行うようにする無線通信システムの前記コードレス通信装置であって、
前記上位装置は、自機に接続された複数の前記コードレス通信装置の識別情報と、前記コードレス通信装置ごとの使用スロット数とを記憶する記憶手段と、前記親機からの使用しているスロット数を特定可能な通知情報に基づいて、前記記憶手段の格納データを更新するスロット管理手段と、前記コードレス通信装置が通話を開始する場合に、前記記憶手段の格納データに基づいて、使用するスロット数を決定し、スロット数を制御する制御信号を、通話を開始する前記コードレス通信装置に提供するスロット制御手段とを備えており、
前記コードレス通信装置は、前記親機が、
使用しているスロットの数が変わるごとに、自機において使用しているスロット数を特定可能な前記通知情報を形成して、前記上位装置に通知する通知手段と、
通話を開始する場合に、前記上位装置からの前記制御信号に応じた数のスロットを用いて、通話を行うようにする制御手段と
を備えることを特徴とするコードレス通信装置。
【請求項７】
上位装置に対して、親機と子機とからなるコードレス通信装置が複数接続されると共に、前記親機と前記子機との間では、単位通信期間を複数のスロットに分割し、親機から子機への通信と子機から親機への通信のそれぞれにおいて、１つ又は２つのスロットを用いてＴＤＭＡ（Time Division Multiple Access；時分割多元接続）／ＴＤＤ（Time Division Duplex；時分割複信）方式の無線通信を行うようにする無線通信システムにおいて、
前記コードレス通信装置の前記親機は、
前記子機との通信に使用する通信チャンネルにおいて、使用されているスロットの数を検出するキャリアセンス手段と、
前記キャリアセンス手段の検出履歴に基づいて、前記上位装置に接続されている前記コードレス通信装置の総数を特定する総数特定手段と、
通話の開始時に、前記キャリアセンス手段からの最新の検出結果と、前記総数特定手段で特定された前記コードレス通信装置の総数と、前記単位通信期間あたりのスロット数に基づいて、使用するスロット数を決定する決定する決定手段と、
前記決定手段により決定されたスロット数のスロットを用い、前記上記装置を介して通話を開始するように制御する制御手段と
を備えることを特徴とする無線通信システム。
【請求項８】
請求項７に記載の無線通信システムであって、
前記コードレス通信装置の前記親機は、
自機が通話回線を接続して通話を行っている場合に、前記キャリアセンス手段からの最新の検出結果と、前記総数特定手段で特定された前記コードレス通信装置の総数と、前記単位通信期間あたりのスロット数に基づいて、使用するスロット数の変更の要否を判別する判別手段と、
前記判別手段で使用するスロット数の変更が必要であると判別された場合に、当該判別結果に基づいて、通話に使用するスロット数を変更するように制御するスロット変更制御手段と
を備えることを特徴とする無線通信システム。
【発明の詳細な説明】
【技術分野】
【０００１】
この発明は、ＴＤＭＡ（Time Division Multiple Access；時分割多元接続）／ＴＤＤ（Time Division Duplex；時分割複信）方式が適用されたデジタルコードレス通信装置を含んで構成される無線通信システム及び当該システムで用いられる装置に関する。
【背景技術】
【０００２】
近年、主装置やＳＩＰサーバなどの通信制御装置に対して、親機と子機とが無線接続されるコードレス電話装置を接続して構成するビジネスホンシステム（ボタン電話システム）が提供されるようになってきている。コードレス電話装置を構成する親機と子機との間では、ＤＥＣＴ（Digital Enhanced Cordless Telecommunication）規格の通信方式が用いられている場合が多くなってきている。ＤＥＣＴ規格においては、親機から子機へのダウンリンクでの通信方式は時分割多重方式を使用する時分割複信方式であること、子機から親機へのアップリンクの通信方式は時分割多元接続方式であることが定められている。また、ＤＥＣＴ規格において、使用周波数帯は、従来のコードレス電話装置の場合の「２．４ＧＨｚ帯」とは異なる「１．９ＧＨｚ帯」を使用すること、チャンネル数は、最大５チャンネルであることなどが定められている。
【０００３】
また、ＤＥＣＴ規格では、特許文献１、２などに開示されているように、符号化データの１チャンネルにおける１フレームは１０ミリ秒（ｍｓ）であり、図２４（Ａ）に示すように、２４タイムスロットに分割されている。なお、以下においては、タイムスロットを単にスロットと記載する。そして、１フレームの前半の１／２フレーム期間の１２スロットＳ０〜Ｓ１１は、親機から子機へのダウンリンクに用いられ、後半の１／２フレーム期間の１２スロットＳ１２〜Ｓ２３は、子機から親機へのアップリンクに用いられる。
【０００４】
ＤＥＣＴ規格においては、隣接スロットを使用する場合のＰＬＬ（Phase locked Loop）シンセサイザのロックアップタイムなどを考慮して、一般的には、使用中のスロットと隣接するスロットは空けて、一つ置きのスロットを用いて無線通信を行う。なお、ロックアップタイムは、周波数を設定してからＰＬＬによる位相制御が完了するまでの時間を意味する。したがって、ＤＥＣＴ規格のコードレス電話装置で通話を行うには、図２４（Ｂ）に示すように、ダウンリンクでは、一つ置きのスロットＳ０，Ｓ２，Ｓ４，Ｓ６，Ｓ８，Ｓ１０の６スロットを用いる。また、アップリンクでは、一つ置きのスロットＳ１２，Ｓ１４，Ｓ１６，Ｓ１８，Ｓ２０，Ｓ２２の６スロットを用いる。このため、１チャンネルでは、最大で６通話分しか同時に通話できない構成になっている。
【先行技術文献】
【特許文献】
【０００５】
【特許文献１】特開２０００−２８７２６９号公報
【特許文献２】特表２００１−５１０９７２号公報
【発明の概要】
【発明が解決しようとする課題】
【０００６】
ＤＥＣＴ規格のコードレス電話装置では、ダウンリンクとアップリンクとのそれぞれで１スロットずつの計２スロット使用する通常帯域通話と、ダウンリンクとアップリンクとのそれぞれで２スロットずつの計４スロット使用する広帯域通話が可能である。通信制御装置に対して、コードレス電話装置を複数接続して構成するビジネスホンシステムの場合、同一エリアに複数のコードレス電話装置が存在し、同時に通話が行われることが多々ある。一般に通信制御装置に収容するコードレス電話装置の台数（親機と子機のセット数）は、使用可能なスロット数との関係で最大同時通話数が決まっているため使用可能なスロット数以内に設定される。
【０００７】
しかし、通常帯域通話の倍のスロットを用いるために音質の良い広帯域通話を行うようにした場合には、空きスロット数が収容するコードレス電話装置よりも少なくなってしまう場合がある。ＤＥＣＴ規格の場合、ダウンリンクとアップリンクのそれぞれに６スロットあるため、通常帯域通話を行うことを基準に考えれば、通信制御装置に６台のコードレス電話装置が収容可能である。このため、通信制御装置に６台のコードレス電話装置を収容した場合について考える。
【０００８】
通信制御装置に収容された６台のコードレス電話装置の内の１台がダウンリンクとアップリンクのそれぞれで２スロットを使用する広帯域通話を開始し、他の５台のコードレス電話装置は通話を行っていない待機状態にあるとする。この場合、空きスロットはダウンリンクとアップリンクのそれぞれに２スロットである。この時に、一斉着信が発生したとする。この場合、着信を通知しなければいけない待機中のコードレス電話装置は５台あるのに、空きスロットはダウンリンクとアップリンクのそれぞれに４スロットしかない。このため、着信が通知されず応答もできないコードレス電話装置が発生してしまうという問題が生じる。
【０００９】
そこで、通信制御装置に収容される全てのコードレス電話装置で同時に広帯域通話を行った場合を想定して、通信制御装置に収容するコードレス電話装置の台数を設定することが考えられる。上述したように、ＤＥＣＴ方式の場合、ダウンリンクとアップリンクのそれぞれで６スロットが使用可能であるため、通信制御装置に収容するコードレス電話装置を３台にすれば、スロットが不足する問題は生じない。しかし、使用可能なスロット数に対して、収容台数が極端に少なくなってしまうため現実的でない。
【００１０】
以上のことに鑑み、この発明は、ＤＥＣＴ方式のように、通信チャンネルに設けられる使用できるスロットの数が有限である通信方式を用いる場合であっても、例えば、通常帯域通話と広帯域通話とを併用しつつ、通信制御装置に収容された全ての通信装置を適切に利用できるようにすることを目的とする。
【課題を解決するための手段】
【００１１】
上記課題を解決するため、請求項１に記載の発明の無線通信システムは、
上位装置に対して、親機と子機とからなるコードレス通信装置が複数接続されると共に、前記親機と前記子機との間では、単位通信期間を複数のスロットに分割し、親機から子機への通信と子機から親機への通信のそれぞれにおいて、１つ又は２つのスロットを用いてＴＤＭＡ（Time Division Multiple Access；時分割多元接続）／ＴＤＤ（Time Division Duplex；時分割複信）方式の無線通信を行うようにする無線通信システムにおいて、
前記上位装置は、
自機に接続された複数の前記コードレス通信装置の識別情報と、前記コードレス通信装置ごとの使用スロット数とを記憶する記憶手段と、
前記親機からの使用しているスロット数を特定可能な通知情報に基づいて、前記記憶手段の格納データを更新するスロット管理手段と、
前記コードレス通信装置が通話を開始する場合に、前記記憶手段の格納データに基づいて、使用するスロット数を決定し、スロット数を制御する制御信号を、通話を開始する前記コードレス通信装置に提供するスロット制御手段と
を備え、
前記コードレス通信装置は、
前記親機が、
使用しているスロットの数が変わるごとに、自機において使用しているスロット数を特定可能な前記通知情報を形成して、前記主装置に通知する通知手段と、
通話を開始する場合に、前記主装置からの前記制御信号に応じた数のスロットを用いて、通話を行うようにする制御手段と
を備えることを特徴とする。
【００１２】
この請求項１に記載の発明の無線通信システムによれば、上位装置においては、記憶手段で、自機に接続されたコードレス通信装置の識別情報と、自機に接続されたコードレス通信装置ごとの使用スロット数とを記憶しており、このスロット数をスロット管理手段が、コードレス通信装置の親機からの通知情報に基づいて更新することにより、常時、正確にコードレス通信装置ごと使用スロット数が管理される。そして、スロット制御手段は、コードレス通信装置が着信に応答して、また、コードレス通信装置から発信して、通話を開始する場合に、記憶手段の格納データに基づいて、通話を開始する当該コードレス通信装置が利用するスロットの数を決定し、これを当該コードレス通信装置の親機に通知する。
【００１３】
一方、コードレス通信装置の親機は、通知手段が、自機において使用しているスロットの数が変わるごとに、自機において使用しているスロット数を特定可能な通知情報を形成して、上位装置に通知する。これにより、上位装置において、コードレス通信装置ごとの使用スロット数を管理できるようにする。また、コードレス装置の親機は、自機が通話を開始する場合には、上位装置からの制御信号により通知されるスロットの数に応じた数のスロットを用いて、通話を行うようにする。
【００１４】
このように、上位装置が、自機に接続されたコードレス通信装置ごとのスロットの使用状況を管理し、これに基づいて通話を開始するコードレス通信装置において用いるスロットの数が制御される。したがって、ダウンリンクとアップリンクのそれぞれで１つのスロットを用いる通常帯域通話と、ダウンリンクとアップリンクのそれぞれで２つのスロットを用いる広帯域通話とを併用しつつ、スロットが不足しないように使用するスロットの数を適切に制御できる。
【００１５】
また、請求項７に記載の発明の無線通信システムは、
上位装置に対して、親機と子機とからなるコードレス通信装置が複数接続されると共に、前記親機と前記子機との間では、単位通信期間を複数のスロットに分割し、親機から子機への通信と子機から親機への通信のそれぞれにおいて、１つ又は２つのスロットを用いてＴＤＭＡ（Time Division Multiple Access；時分割多元接続）／ＴＤＤ（Time Division Duplex；時分割複信）方式の無線通信を行うようにする無線通信システムにおいて、
前記コードレス通信装置の前記親機は、
前記子機との通信に使用する通信チャンネルにおいて、使用されているスロットの数を検出するキャリアセンス手段と、
前記キャリアセンス手段の検出履歴に基づいて、前記上位装置に接続されている前記コードレス通信装置の総数を特定する総数特定手段と、
通話の開始時に、前記キャリアセンス手段からの最新の検出結果と、前記総数特定手段で特定された前記コードレス通信装置の総数と、前記単位通信期間あたりのスロット数に基づいて、使用するスロット数を決定する決定する決定手段と、
前記決定手段により決定されたスロット数のスロットを用い、前記上記装置を介して通話を開始するように制御する制御手段と
を備えることを特徴とする。
【００１６】
この請求項７に記載の発明の無線通信システムによれば、コードレス通信装置の親機が、キャリアセンス手段を通じて、子機との通信に使用する通信チャンネルにおいて、使用されているスロットの数を検出する。総数特定手段は、キャリアセンス手段の検出履歴に基づいて、上位装置に接続されているコードレス通信装置の総数を特定する。そして、決定手段が、通話の開始時に、キャリアセンス手段からの最新の検出結果と、総数特定手段で特定されたコードレス通信装置の総数と、単位通信期間あたりのスロット数に基づいて、使用するスロット数を決定する。この後、制御手段が、決定手段により決定されたスロット数のスロットを用い、上記装置を介して通話を開始するように制御する。
【００１７】
このように、コードレス通信装置のそれぞれにおいて、上位装置に接続されているコードレス通信装置の台数を適切に把握し、かつ、スロットの使用状況を適切に把握して、子これに基づいて、自機において通話を開始する場合に使用するスロットの数を適切な数とすることができる。したがって、ダウンリンクとアップリンクのそれぞれで１つのスロットを用いる通常帯域通話と、ダウンリンクとアップリンクのそれぞれで２つのスロットを用いる広帯域通話とを併用しつつ、スロットが不足しないように使用するスロットの数を適切に制御できる。
【発明の効果】
【００１８】
この発明によれば、ＤＥＣＴ方式のように、通信チャンネルに設けられる使用できるスロットの数が有限である通信方式を用いる場合であっても、例えば、通常帯域通話と広帯域通話とを併用しつつ、通信制御装置に収容された全ての通信装置を適切に利用できる。
【図面の簡単な説明】
【００１９】
【図１】この発明による無線通信システムの第１の実施形態の全体の概要を説明するためのブロック図である。
【図２】この発明による無線通信システムの第１の実施形態の一部を構成する主装置の詳細構成例を示すブロック図である。
【図３】この発明による無線通信システムの第１の実施形態の一部を構成する親機の詳細構成例を示すブロック図である。
【図４】この発明による無線通信システムの第１の実施形態の一部を構成する子機の詳細構成例を示すブロック図である。
【図５】第１の実施の形態の主装置１のスロット管理テーブルの格納データの例を説明するための図である。
【図６】第１の実施の形態の無線通信システムで行われるコードレス電話装置に対する通常帯域通話と広帯域通話の切り替え制御の概要を説明するための図である。
【図７】第１の実施の形態の無線通信システムで行われるコードレス電話装置に対する通常帯域通話と広帯域通話の切り替え制御の概要を説明するための図である。
【図８】図６、図７を用いて説明した場合の主装置１の制御の流れを説明するためのシーケンス図である。
【図９】第１の実施の形態の主装置１の制御回路１２で行われる処理を説明するためのフローチャートである。
【図１０】第１の実施の形態の主装置１の制御回路１２で行われる処理を説明するためのフローチャートである。
【図１１】第１の実施の形態の主装置１の制御回路１２で行われる処理を説明するためのフローチャートである。
【図１２】第１の実施の形態の主装置１の制御回路１２で行われる処理を説明するためのフローチャートである。
【図１３】第２の実施形態としての電話システム１０Ａの全体の構成例を示すブロック図である。
【図１４】第２の実施の形態の親機ＢＳ１Ａの構成例を示すブロック図である。
【図１５】主装置１Ａに接続されるコードレス電話装置の台数と、当該コードレス電話装置が広帯域通話を行った場合のスロット数の関係を示す図である。
【図１６】使用スロット数と主装置１Ａへのコードレス電話装置の接続台数との関係を説明するための図である。
【図１７】主装置１Ａのコードレス電話装置の接続台数が４台であると判別した場合の使用スロット数に基づく広帯域通話が可能か否かの判別処理について説明するための図である。
【図１８】ＢＳ１Ａ〜ＢＳｎＡのスロット制御部４１１が行う広帯域通話と通常帯域通話の選択制御の具体例を説明するための図である。
【図１９】ＢＳ１Ａ〜ＢＳｎＡのスロット制御部４１１が行う広帯域通話と通常帯域通話の選択制御の具体例を説明するための図である。
【図２０】ＢＳ１Ａ〜ＢＳｎＡのスロット制御部４１１が行う広帯域通話と通常帯域通話の選択制御の具体例を説明するための図である。
【図２１】広帯域通話中のコードレス電話装置２１Ｄの親機ＢＳ１Ｄが行う広帯域通話と通常帯域通話との変更制御の流れを説明するためのシーケンス図である。
【図２２】コードレス電話装置２１Ａの親機ＢＳ１Ａで行われる処理を説明するためのフローチャートである。
【図２３】通話の相手先も考慮して、広帯域通話と通常帯域通話を選択する場合について説明するための図である。
【図２４】ＤＥＣＴ規格のスロットについて説明するための図である。
【発明を実施するための形態】
【００２０】
以下、図を参照しながら、この発明のシステム、装置、方法の一実施の形態について説明する。以下に説明する実施の形態においては、この発明を例えば会社などの構内に設けられるビジネスホンシステムと呼ばれる電話システムに適用した場合を例にして説明する。
【００２１】
［第１の実施の形態］
［無線通信システムの構成例；図１］
図１は、この発明による無線通信システムの第１の実施形態としての電話システム１０の全体の構成例を示すブロック図である。この例の電話システム１０においては、上位装置の例としての主装置１に対して、内線電話装置として、複数のコードレス電話装置２１、２２、・・・、２ｎ（ｎは２以上の整数。以下同じ）が接続されている。コードレス電話装置２１〜２ｎのそれぞれは、コードレス通信装置の例であり、親機としてのベースセットＢＳ１、ＢＳ２、・・・、ＢＳｎのそれぞれと、子機としてのハンドセットＨＳ１、ＨＳ２、・・・、ＨＳｎのそれぞれとからなり、親機ＢＳ１〜ＢＳｎのそれぞれと、子機ＨＳ１〜ＨＳｎのそれぞれとは、無線接続される。
【００２２】
なお、親機ＢＳ１〜ＢＳｎのそれぞれに対しては、複数の子機を無線接続することも可能であるが、この例では、１台の親機に対して、１台の子機が接続される構成とされている。また、図示は省略するが、主装置１に接続される内線電話装置としては、コードレス電話装置２１、２２、・・・、２ｎのみではなく、通常のビジネスホンと同様に、デジタルボタン電話端末も接続することも可能である。
【００２３】
そして、この実施形態では、コードレス電話装置２１〜２ｎの親機ＢＳ１〜ＢＳｎのそれぞれと、子機ＨＳ１〜ＨＳｎのそれぞれとの間の無線接続は、前述したデジタルコードレス電話のＤＥＣＴ規格（方式）を用いたＴＤＭＡ／ＴＤＤ方式により行うようにしている。
【００２４】
主装置１は、１又は複数の電話回線Ｌ１〜Ｌｍ（ｍは１以上の整数）を収容可能である。そして、コードレス電話装置２１〜２ｎのそれぞれの親機ＢＳ１〜ＢＳｎが、この主装置１に接続されている。図１の例では、親機ＢＳ１〜ＢＳｎと主装置１とは有線で接続されているが、無線であってもよい。
【００２５】
主装置１は、複数のコードレス電話装置２１〜２ｎについての呼制御及び回線交換制御、その他のビジネスホンとしての制御を行うと共に、基準同期信号ＳＹＮＣを複数のコードレス電話装置２１〜２ｎのそれぞれに供給する機能を備えている。基準同期信号ＳＹＮＣは、この例では、１３０ミリ秒（ｍｓ）周期の信号とされている。
【００２６】
また、主装置１は、後述もするスロット管理部として機能する制御回路１２とスロット管理テーブル１４とを備えている。これらは、主装置１に接続されている（収容されている）コードレス電話装置２１〜２ｎからの情報に基づいて、ＤＥＣＴ規格の無線通信を行う親機ＢＳ１〜ＢＳｎと子機ＨＳ１〜ＨＳｎとの間で使用するスロットの使用状況を管理する機能を実現する。
【００２７】
そして、主装置１は、スロットの使用状況に応じて、新たに通話を開始するコードレス電話装置に対して、通常帯域通話を行うのか、広帯域通話を行うのかを制御する。また、主装置１は、スロットの使用状況に応じて、通話中のコードレス電話装置に対して、広帯域通話から通常帯域通話に変更したり、通常帯域通話から広帯域通話に変更したりする制御を行う。
【００２８】
コードレス電話装置２１〜２ｎの親機ＢＳ１〜ＢＳｎのそれぞれは、主装置１からの基準同期信号ＳＹＮＣに同期して、ＤＥＣＴ規格のデジタルコードレス電話の単位通信期間である１フレーム（１０ミリ秒（ｍｓ））の周期の同期信号としてのフレーム同期信号を生成し、その生成したフレーム同期信号に基づいて、ＤＥＣＴ規格を用いたＴＤＭＡ／ＴＤＤ方式の無線通信を子機ＨＳ１〜ＨＳｎとの間で実行する。したがって、複数のコードレス電話装置２１〜２ｎの全ては、主装置１からの基準同期信号ＳＹＮＣに同期した動作をする。
【００２９】
親機ＢＳ１〜ＢＳｎのそれぞれは、基準同期信号ＳＹＮＣに基づいて、フレーム同期信号を生成し、その生成したフレーム同期信号に基づいて、子機ＨＳ１〜ＨＳｎとの間で、１フレーム期間の複数のスロットの例えば一つ置きのスロットの内の一つを用いて無線通信を行うように制御する。
【００３０】
そして、親機ＢＳ１〜ＢＳｎのそれぞれは、自機においてスロットの使用を開始したり、終了したりするごとに、使用を始めた、また、使用を終了したスロットの数を特定可能な情報を主装置１に通知する機能を有する。すなわち、親機ＢＳ１〜ＢＳｎのそれぞれは、自機におけるスロットの使用状況を主装置１に通知する機能を有する。また、親機ＢＳ１〜ＢＳｎのそれぞれは、主装置１からの制御信号に応じて、通話の開始時に自機の子機ＨＳ１〜ＨＳｎとの間で通常帯域通話を行うのか、広帯域通話を行うのかを切り替えることができるようになっている。さらに、親機ＢＳ１〜ＢＳｎのそれぞれは、主装置１からの制御信号に応じて、通話中において、自機の子機ＨＳ１〜ＨＳｎとの間で広帯域通話と通常帯域通話との相互の切り替えを行うこともできるようになっている。
【００３１】
［主装置１の構成例；図２］
図２は、主装置１の構成例を示すブロック図である。図２に示すように、主装置１は、電話回線Ｌ１〜Ｌｍが接続される回線インターフェース１１と、コンピュータを搭載して、主装置１の全体を制御するための制御回路１２と、回線ＬＳＩ（Large  Scale  Integrated  Circuit）部１３と、スロット管理テーブル１４と、基準発振器１５とを備えて構成されている。この第1の実施の形態の主装置１の制御回路１２は、主装置１に接続されたコードレス電話装置が使用するスロットを管理するスロット管理部としての機能を有する。
【００３２】
回線インターフェース１１は、制御回路１２からの制御により、回線Ｌ１〜Ｌｎからの音声信号（受話音声信号）は、回線ＬＳＩ部１３に供給し、回線からの呼制御信号などの制御信号は、制御回路１２に供給する。また、回線インターフェース１１は、制御回路１２からの制御により、回線ＬＳＩ部１３からの音声信号（送話音声信号）は、回線Ｌ１〜Ｌｍを通じて相手方に送信し、制御回路１２からの呼制御信号などの制御信号も、回線Ｌ１〜Ｌｍを通じて相手方に送信する。
【００３３】
回線ＬＳＩ部１３は、ｎ個の内線電話装置に対応して、ｎ個の内線処理回路１３１，１３２，・・・，１３ｎと、タイミング信号生成部１３０を備える。
【００３４】
タイミング信号生成部１３０には、水晶振動子を用いた高精度の基準発振器１５からの基準クロック信号から伝送用クロック信号ＣＫ及び多重化／分割化用タイミング信号ＴＭを生成し、ｎ個の内線処理回路１３１〜１３ｎに供給する。
【００３５】
ｎ個の内線処理回路１３１〜１３ｎは、全く同一の構成を備えるもので、それぞれ、音声信号処理部３１と、制御信号処理部３２と、同期信号処理部３３と、多重化／分割化処理部３４とからなる。
【００３６】
音声信号処理部３１は、回線インターフェース１１に接続されると共に、多重化／分割化処理部３４に接続されており、回線インターフェース１１からの受話音声信号及び多重化／分割化処理部３４からの送話音声信号の処理回路である。この音声信号処理部３１には、タイミング信号生成部１３０からの伝送用クロック信号ＣＫが供給されている。
【００３７】
制御信号処理部３２は、制御回路１２の制御信号入出力端に接続されると共に、多重化／分割化処理部３４に接続されており、発信時及び着信時、また、終話時などにおける呼制御信号などの制御信号（主装置１からコードレス電話装置への制御信号と、コードレス電話装置から主装置１への制御信号の両方）の処理回路である。この制御信号処理部３２にも、タイミング信号生成部１３０からの伝送用クロック信号ＣＫが供給されている。
【００３８】
同期信号処理部３３は、制御回路１２の同期信号出力端に接続されると共に、多重化／分割化処理部３４に接続されており、制御回路１２からの所定の同期信号パターンを有する基準同期信号ＳＹＮＣの処理回路である。この同期信号処理部３３にも、同様に、タイミング信号生成部１３０からの伝送用クロック信号ＣＫが供給されている。
【００３９】
多重化／分割化処理部３４は、音声信号処理部３１、制御信号処理部３２、同期信号処理部３３に接続されると共に、コードレス電話装置２１〜２ｎの親機ＢＳ１〜ＢＳｎのそれぞれに接続される。そして、多重化／分割化処理部３４は、タイミング信号生成部１３０からのタイミング信号ＴＭに基づいて、音声信号処理部３１からの音声信号と、制御信号処理部３２からの制御信号と、同期信号処理部３３からの基準同期信号ＳＹＮＣとを多重化（時分割多重）して多重化信号を生成し、その生成した多重化信号を親機ＢＳ１〜ＢＳｎのそれぞれに供給する。また、多重化／分割化処理部３４は、タイミング信号生成部１３０からのタイミング信号ＴＭに基づいて、親機ＢＳ１〜ＢＳｎのそれぞれからの多重化信号を音声信号と制御信号とに分割して、音声信号は音声信号処理部３１に、制御信号は制御信号処理部３２に、それぞれ供給する。
【００４０】
スロット管理テーブル１４は、不揮発性メモリにより構成され、主装置１に接続されたコードレス電話装置２１〜２ｎにおける使用状況を管理する。図５は、スロット管理テーブル１４の格納データの例を説明するための図である。スロット管理テーブル１４には、図５に示すように、主装置１に接続されたコードレス電話装置ごとの識別情報と、コードレス電話装置ごとの現時点の使用スロット数と、コードレス電話装置ごとの広帯域通話についての優先順位を保持する。
【００４１】
この第１の実施の形態において、主装置１に接続されたコードレス電話装置ごとの識別情報は、コードレス電話装置ごとに固有の情報であり、この例では説明を簡単にするためコードレス電話装置ごとに付された参照符号と同じ番号を用いている。当該識別情報は、コードレス電話装置ごとに固有のものであればよく、ＭＡＣアドレスなど種々のものを用いることが可能である。そして、当該識別情報は、スロット管理テーブル１４に対して予め設定されるものであり、図５に示した例では、コードレス電話装置２１〜２５の５台のコードレス電話装置が主装置１に接続されていることが管理されている。
【００４２】
コードレス電話装置ごとの現時点の使用スロット数は、コードレス電話装置ごとに現時点において使用しているスロットの数を示す情報である。当該使用スロット数は、各コードレス電話装置２１〜２ｎの親機ＢＳ１〜ＢＳｎから提供される使用スロットを示す情報や使用スロット数を示す情報に応じて、スロット管理部としての制御回路１２により随時に更新される。
【００４３】
これら使用スロットを示す情報や使用スロット数を示す情報は、通話の開始時や終了時、また、通常帯域通話と広帯域通話との間の相互の変更時など、使用するスロット数が変わったタイミングで親機ＢＳ１〜ＢＳｎから提供される。したがって、常時、最新の正確なスロットの使用状況が主装置１で管理される。図５に示した例の場合には、コードレス電話装置２１では広帯域通話が行われ、コードレス電話装置２２では通常帯域通話が行われ、コードレス電話装置２３〜２５では、通話が行われていない待機状態であることが管理されている。
【００４４】
コードレス電話装置ごとの広帯域通話についての優先順位は、予め設定される情報であり、当該優先順位が高いほど、優先的に広帯域通話を行うことが可能なコードレス電話装置であることを示す。例えば、管理者のデスクに配置されるコードレス電話装置には優先順位が高く設定される。図５に示した例では、コードレス電話装置２１の優先順位が「第１位」であり、コードレス電話装置２２、２３、２４、２５の順に、１つずつ優先順位が下がるように設定されている。この優先順位により、例えば、２台のコードレス電話装置が広帯域通話行っている場合に、スロット不足により一方を通常帯域通話にしなければならない場合に、優先順位の低いコードレス電話装置を通常帯域通話に変更するといった制御が可能になる。
【００４５】
なお、図示しないが、主装置１には、アドレス管理部も接続されている。アドレス管理部は、主装置１に接続されているコードレス電話装置２１〜２ｎの内線番号と内線処理回路１３１〜１３ｎのそれぞれとの対応を記憶管理する。この実施形態の電話システム１０においては、主装置１にコードレス電話装置２１〜２ｎのいずれかが接続された時に、そのコードレス電話装置の親機は、主装置１に対して接続要求を送る。
【００４６】
主装置１は、そのコードレス電話装置の親機からの接続要求を制御信号として受けた内線処理回路が内線処理回路１３１〜１３ｎの内のいずれであるかを検知することにより、コードレス電話装置が接続された内線処理回路を検知する。そして、制御回路１２は、設置工事者や管理者等により設定された内線番号、あるいは自動的に設定された内線番号と、コードレス電話装置が接続された内線処理回路の識別情報とを対応付けてアドレス管理部に登録する。
【００４７】
このアドレス管理部の情報に基づいて、主装置１に接続されたコードレス電話装置の動作状況などを適切に把握することができると共に、主装置１に接続されたコードレス電話装置のそれぞれを適切に制御できる。
【００４８】
［コードレス電話装置の構成例］
複数個のコードレス電話装置２１〜２ｎの親機ＢＳ１〜ＢＳｎ及び子機ＨＳ１〜ＨＳｎのそれぞれは、全て同じ構成を備える。そこで、以下の説明では、コードレス電話装置２１の親機ＢＳ１及び子機ＨＳ１の場合を例にとって、親機及び子機の構成例を説明する。
【００４９】
＜親機の構成例；図３＞
図３は、親機ＢＳ１の構成例を示すブロック図である。この図３に示すように、親機ＢＳ１は、親機ＢＳ１の全体を制御するための制御回路４１と、回線ＬＳＩ部４２と、同期信号発生回路４３と、無線通信回路４４と、発振器４５及び４６とを備えて構成されている。
【００５０】
制御回路４１は、コンピュータを搭載して構成されている。そして、制御回路４１は、この親機ＢＳ１における呼制御などの制御を行う機能を備える。また、制御回路４１は、後述する無線通信回路４４からの情報に基づいて、自機と子機ＨＳ１との間で用いているスロットやスロットの数を主装置に通知する制御を行う。また、制御回路４１は、主装置１からの制御情報に基づいて、無線通信回路４４に対して通常帯域通話を行うのか、広帯域通話を行うのかの制御を行う。
【００５１】
回線ＬＳＩ部４２は、主装置１との間で音声信号、制御信号及び同期信号のやり取りをするための回路であり、分割化／多重化処理部４２１と、制御信号処理部４２２と、音声信号処理部４２３と、同期信号検出部４２４と、ＰＬＬ（Phase  locked  Loop）部４２５とからなる。
【００５２】
ＰＬＬ部４２５には、発振器４５からの基準周波数の発振信号が供給されると共に、主装置１からの多重化信号が供給される。この例では、発振器４５の発振信号の周波数は、例えば２０４８ＭＨｚ（０．４８８ナノ秒（ｎｓ））とされている。
【００５３】
ＰＬＬ部４２５は、主装置１からの多重化信号から、いわゆるセルフクロッキングにより、主装置１のタイミング信号生成部からのクロック信号ＣＫの成分を抽出し、その抽出したクロック信号ＣＫ成分と発振器４５からの発振信号とを位相比較して、その比較結果に基づいて、発振器４５の発振信号から、クロック信号ＣＫ成分に同期する親機ＢＳ１のシステムクロック信号ＳＣＫを生成する。
【００５４】
そして、ＰＬＬ部４２５は、生成したシステムクロック信号ＳＣＫを分割化／多重化処理部４２１、制御信号処理部４２２、音声信号処理部４２３、同期信号検出部４２４のそれぞれに、信号処理用クロック信号として供給すると共に、同期信号発生回路４３に供給する。
【００５５】
分割化／多重化処理部４２１は、主装置１に接続されると共に、制御信号処理部４２２、音声信号処理部４２３、同期信号検出部４２４に接続される。そして、分割化／多重化処理部４２１は、主装置１からの多重化信号から制御信号と音声信号と基準同期信号ＳＹＮＣを分割して、制御信号は制御信号処理部４２２に、音声信号は音声信号処理部４２３に、基準同期信号ＳＹＮＣは同期信号検出部４２４に、それぞれ供給する。
【００５６】
また、分割化／多重化処理部４２１は、制御信号処理部４２２からの制御信号と、音声信号処理部４２３からの音声信号とを多重化して多重化信号を生成し、その生成した多重化信号を主装置１に供給する。
【００５７】
制御信号処理部４２２は、制御回路４１の制御信号入出力端に接続されると共に、分割化／多重化処理部４２１に接続されており、発信時及び着信時、また、終話時などにおける呼制御信号などの制御信号（主装置１からコードレス電話装置２１への制御信号と、コードレス電話装置２１から主装置１への制御信号の両方）の処理回路である。
【００５８】
音声信号処理部４２３は、無線通信回路４４に接続されると共に、分割化／多重化処理部４２１に接続されており、無線通信回路４４からの子機ＨＳ１から受信した受話音声信号及び分割化／多重化処理部４２１からの送話音声信号の処理回路である。
【００５９】
同期信号検出部４２４は、分割化／多重化処理部４２１からの基準同期信号ＳＹＮＣを受けて、当該基準同期信号ＳＹＮＣが備える所定の同期信号パターンを検出することで、その検出時点の信号として、基準同期信号ＳＹＮＣと同期する、基準同期信号ＳＹＮＣと同一周期（１３０ｍｓ）の基準同期パルスＰＳを発生する。そして、同期信号検出部４２４は、発生した基準同期パルスＰＳを同期信号発生回路４３に供給する。
【００６０】
同期信号発生回路４３は、カウンタ４３１と、同期信号生成部４３２とからなる。カウンタ４３１には、回線ＬＳＩ部４２の同期信号検出部４２４からの１３０ｍｓの周期の基準同期パルスＰＳがプリセット端子に供給されると共に、ＰＬＬ部４２５からのシステムクロック信号ＳＣＫがカウント入力として供給される。そして、このカウンタ４３１の出力カウント値ＣＮＴが同期信号生成部４３２に供給される。
【００６１】
同期信号生成部４３２は、カウンタ４３１の出力カウント値ＣＮＴから、ＤＥＣＴ規格のフレーム周期（１０ｍｓ）の同期信号ＦＬを発生する。同期信号発生回路４３は、同期信号生成部４３２で生成したフレーム同期信号ＦＬを無線通信回路４４に供給する。
【００６２】
次に、無線通信回路４４について説明する。この実施形態では、無線通信回路４４は、ＤＥＣＴ規格の無線通信を行うための汎用の親機用無線通信ＬＳＩを用いている。この無線通信回路４４は、制御部４４１と、ＴＤＭＡ変復調部４４２と、無線通信部４４３とを備えて構成されている。無線通信部４４３は、子機ＨＳ１との間で、無線通信を行うための回路部である。
【００６３】
制御部４４１は、ＴＤＭＡ変復調部４４２及び無線通信部４４３に接続されると共に、制御回路４１に接続されている。制御部４４１は、この無線通信回路４４の全体の動作を制御すると共に、制御回路４１から得た制御信号に基づく制御信号をＴＤＭＡ変復調部４４２に供給する。
【００６４】
ＴＤＭＡ変復調部４４２は、制御部４４１及び回線ＬＳＩ部４２の音声信号処理部４２３に接続されると共に、無線通信部４４３に接続されており、制御部４４１からの制御信号と音声信号処理部４２３からの音声信号を子機ＨＳ１に送信するために変調を行う。このＴＤＭＡ変復調部４４２で変調された信号は、無線通信部４４３を通じて子機ＨＳ１に送信される。
【００６５】
また、ＴＤＭＡ変復調部４４２は、無線通信部４４３で受信された子機ＨＳ１からの受信信号から、音声信号及び制御信号を復調し、復調した音声信号は音声信号処理部４２３に供給し、復調した制御信号は、制御部４４１に供給する。
【００６６】
そして、ＴＤＭＡ変復調部４４２は、クロック生成用のＰＬＬ部４４２１を備える。このＰＬＬ部４４２１には、発振器４６からの発振信号が供給されると共に、同期信号発生回路４３からのフレーム同期信号ＦＬが供給される。
【００６７】
ＰＬＬ部４４２１は、同期信号発生回路４３からのフレーム同期信号ＦＬと発振器４６からの発振信号とを位相比較して、その比較結果に基づいて、発振器４６の発振信号から、フレーム同期信号ＦＬに同期するタイミング信号及びクロック信号を生成する。
【００６８】
ＴＤＭＡ変復調部４４２は、フレーム同期信号ＦＬに同期するタイミング信号及びクロック信号を用いて、割り当て使用可能となるダウンリンクでのスロットの１つ又は２つに相当する期間で子機ＨＳ１への送信信号を生成すると共に、アップリンクでのスロットの１つ又は２つを用いて、子機ＨＳ１からの受信信号の処理を行うようにする。
【００６９】
この場合、ダウンリンクとアップリンクとのそれぞれで１つのスロットを用いる場合には通常帯域通話となり、ダウンリンクとアップリンクとのそれぞれで２つのスロットを用いる場合には、広帯域通話となる。そして、通常帯域通話と広帯域通話のいずれを行うようにするかは、主装置１からの指示に応じた制御回路４１からの制御信号に基づいて、制御部４４１がＴＤＭＡ変復調部４４２を制御する。
【００７０】
なお、通常、親機ＢＳ１は、主装置１に接続されて、前述したように、子機ＨＳ１との通信のための同期処理を開始し、常に、子機ＨＳ１に対して送信信号を送る。そして、親機ＢＳ１の無線通信回路４４の制御部４４１は、ＴＤＭＡ変復調部４４２で生成した送信信号を、自親機に設定された１つのスロットを用いて、無線通信部４４３を通じて子機ＨＳ１に送り、当該子機ＨＳ１から応答が返って来た時に、送信信号を送信するために用いたスロットをダウンリンク用と、子機ＨＳ１からの応答を受信したスロットをアップリンク用として同期を確立して、送受信を行うように制御する。
【００７１】
そして、上述したように、親機ＢＳ１は、主装置１からの指示に応じた制御回路４１の制御により、通常帯域通話を行っているときに、ダウンリンクとアップリンクの使用スロットを２スロットにして広帯域通話を行うようにできる。また、親機ＢＳ１は、主装置１からの指示に応じた制御回路４１の制御により、広帯域通話を行っているときに、ダウンリンクとアップリンクとのスロットを１スロットにして通常帯域通話を行うようにすることもできる。
【００７２】
＜子機の構成例；図４＞
図４は、子機ＨＳ１の構成例を示すブロック図である。図４に示すように、子機ＨＳ１は、無線通信回路５１と、制御回路５２と、コーデック回路５３と、発振器５４と、マイクロホン５５と、スピーカ５６とを備えて構成されている。マイクロホン５５は送話器を構成し、スピーカ５６は受話器を構成する。
【００７３】
無線通信回路５１は、ＤＥＣＴ規格の無線通信を行うための汎用の子機用無線通信ＬＳＩを用いている。この無線通信回路５１は、制御部５１１と、ＴＤＭＡ変復調部５１２と、無線通信部５１３とを備えて構成されている。無線通信部５１３は、親機ＢＳ１との間で、無線通信を行うための回路部である。
【００７４】
制御部５１１は、ＴＤＭＡ変復調部５１２及び無線通信部５１３に接続されると共に、制御回路５２に接続されている。制御部５１１は、この無線通信回路５１の全体の動作を制御すると共に、制御回路５２から得た制御信号に基づく制御信号をＴＤＭＡ変復調部５１２に供給する。
【００７５】
ＴＤＭＡ変復調部５１２は、制御部５１１及び無線通信部５１３に接続されると共に、コーデック回路５３と接続されており、制御部５１１からの制御信号とコーデック回路５３からの音声信号を親機ＢＳ１に送信するために変調を行う。このＴＤＭＡ変復調部５１２で変調された信号は、無線通信部５１３を通じて親機ＢＳ１に送信される。
【００７６】
また、ＴＤＭＡ変復調部５１２は、無線通信部５１３で受信された親機ＢＳ１からの受信信号から、音声信号及び制御信号を復調し、復調した音声信号はコーデック回路５３に供給し、復調した制御信号は、制御部５１１に供給する。
【００７７】
そして、ＴＤＭＡ変復調部５１２は、クロック生成用のＰＬＬ部５１２１を備える。このＰＬＬ部５１２１には、発振器５４からの発振信号が供給されると共に、無線通信部５１３からの受信信号の復調信号が供給され、このＰＬＬ部５１２１からは、発振器５４からの発振信号から、受信信号の復調信号のクロック成分に同期したクロック信号が生成される。このＰＬＬ部５１２１からのクロック信号は、ＴＤＭＡ変復調部５１２における処理用クロック信号とされる。
【００７８】
コーデック回路５３は、ＴＤＭＡ変復調部５１２で復調された音声信号を復号して、アナログ音声信号に変換し、そのアナログ音声信号をスピーカ５６に供給して、受話音声として放音する。また、コーデック回路５３は、マイクロホン５５で収音したアナログ音声信号を符号化して、ＴＤＭＡ変復調部５１２に供給するようにする。
【００７９】
なお、制御回路５２は、この子機ＨＳ１からの発呼時には、発呼時の呼制御信号を、無線通信回路５１を通じて親機ＢＳ１に送信し、また、親機ＢＳ１からの着信時の呼制御信号を受けた時には、着信音をスピーカ５６から放音するなどの処理を行う。
【００８０】
また、無線通信回路５１の制御部５１１は、自機に対応する親機ＢＳ１からの制御信号に応じてＴＤＭＡ変復調部５１２を制御し、ダウンリンクとアップリンクとで、１つ又は２つのスロットを用いて、受信／送信の処理を行うことができるようにしている。
【００８１】
以上の説明は、コードレス電話装置２１の親機ＢＳ１及び子機ＨＳ１についての説明であるが、前述したように、その他のコードレス電話装置２２〜２ｎの親機ＢＳ２〜ＢＳｎ及び子機ＨＳ２〜ＨＳｎについても同様の構成を有するものである。
【００８２】
［通常帯域通話と広帯域通話の切り替え制御］
次に、この第１の実施の形態の無線通信システムにおいて、主装置１の主導で行う配下のコードレス電話装置に対する通常帯域通話と広帯域通話の切り替え制御について具体的に説明する。図６、図７は、この第１の実施の形態の無線通信システムで行われるコードレス電話装置に対する通常帯域通話と広帯域通話の切り替え制御の概要を説明するための図である。
【００８３】
図２４を用いて説明したように、ＤＥＣＴ規格では、ダウンリンクとアップリンクとのそれぞれで、１スロットおきの６スロットずつを用いて通話を行う。しかし、以下においては説明を簡単にするため、図６（Ａ）に示すように、ダウンリンクとアップリンクとのそれぞれで、単に６スロットずつを用いて通話を行うものとして説明する。
【００８４】
また、１つの通話回線は、必ず、ダウンリンクのスロットとアップリンクのスロットからなるが、ダウンリンクのスロットとアップリンクの双方について説明すると説明が重複する。そこで、以下においては説明を簡単にするため、特に区別して示す場合を除き、ダウンリンクとアップリンクを総称してリンクと呼び、当該リンクは６スロットからなるものとして説明する。
【００８５】
そして、主装置１に対して、ＤＥＣＴ規格の通信方式が採用された５台のコードレス電話装置２１〜２５が接続されているとする。この場合に、図６（Ｂ）に示すように、親機ＢＳ１と子機ＨＳ１とからなるコードレス電話装置２１において広帯域通話が行われており、親機ＢＳ２と子機ＨＳ２とからなるコードレス電話装置２２においても広帯域通話が行われているとする。
【００８６】
したがって、図６（Ｃ）に示すように、コードレス電話装置２１の親機ＢＳ１と子機ＨＳ１の間のリンクでは２スロット利用され、コードレス電話装置２２の親機ＢＳ２と子機ＨＳ２の間のリンクでも２スロット利用される。ＤＥＣＴ規格のリンクにおけるスロットの総数は６スロットであるので、空きスロットは、図６（Ｃ）に示すように２スロットとなる。しかし、３台のコードレス電話装置２３、２４、２５は待機中である。
【００８７】
コードレス電話装置の親機と子機との間のリンクでは必ず１スロット利用する。このため、図６（Ｃ）に示した状態にあるときに一斉着信があると、少なくとも１台のコードレス電話装置には着信を通知できない。また、使用者が他のコードレス電話装置への着信により着信に気付いても、着信が通知されていないコードレス電話装置を用いては、親機と子機との間にリンクが接続できていないので応答することもできない。
【００８８】
このような状態は、各コードレス電話装置２１〜２５の親機ＢＳ１〜ＢＳ５からの情報により、主装置１はスロット管理部としての制御回路１２の機能により、スロット管理テーブル１４で正確に管理できている。この場合、主装置１の制御回路１２は、図７（Ａ）に示すように、コードレス電話装置２２の親機ＢＳ２に対して、通話状態を維持しつつ、広帯域通話から通常帯域通話へ変更するように指示を出す。これにより、コードレス電話装置２２の親機ＢＳ２は、子機ＨＳ２とのリンクにおけるスロットは、２スロットの利用から１スロットの利用に変更する。
【００８９】
これにより、コードレス電話装置２１〜２５におけるリンクには、図７（Ｂ）に示すように、待機中の３台のコードレス電話装置２３、２４、２５に対応する３つのスロットが空き状態となる。これにより、一斉着信が発生しても、図７（Ｃ）に示すように、コードレス電話装置２３、２４、２５のそれぞれの親機と子機との間のリンクに１スロット確保でき、コードレス電話装置２３、２４、２５のそれぞれに着信を通知できる。また、図７（Ａ）に示すように、着信が通知されたコードレス電話装置２３、２４、２５のいずれを通じても、着信号に応答し、通常帯域通話で通話を行うことが可能となる。
【００９０】
図８は、図６、図７を用いて説明した場合の主装置１の制御の流れを説明するためのシーケンス図である。図８の上端側に示すように、親機ＢＳ１と子機ＨＳ１とからなるコードレス電話装置２１と、親機ＢＳ２と子機ＨＳ２とからなるコードレス電話装置２２とにおいては、主装置１を通じて広帯域通話が行われているとする。この状態が、図６（Ｃ）に示した状態であり、親機ＢＳ１、ＢＳ２からの情報により、主装置１の制御回路１２が機能して、スロット管理テーブル１４で管理されている。すなわち、コードレス電話装置２１、２２が広帯域通話を行っており、リンクの空きスロットは２スロットであり、待機中のコードレス電話装置は３台であることが、スロット管理テーブル１４の格納データに基づいて把握されている。
【００９１】
このときに、図８に示すように、一斉着信が発生したとする（ステップＳ１）。この場合、主装置１の制御回路１２は、スロット管理テーブル１４の格納データに基づき、一斉着信を行うには、空きスロットが足りないと判別し、コードレス電話装置２２の親機ＢＳ２に制御信号としての帯域開放要求を送信するようにする（ステップＳ２）。この帯域開放要求は、親機ＢＳ２を通じて子機ＨＳ２にも通知される。これにより、親機ＢＳ２の制御回路４１が機能し、リンクの利用スロットを２スロットから１スロットに変更し、通常帯域通話を行うようにする。
【００９２】
そして、コードレス電話装置２２の子機ＨＳ２からは帯域開放完了通知が親機ＢＳ２に送信され（ステップＳ３）、親機ＢＳ２から帯域開放完了通知が主装置１に送信される（ステップＳ３）。これにより、主装置１の制御回路１２は、コードレス電話装置２２で使用されていたリンクのスロットが１つ開放されたことを把握し、スロット管理テーブル１４の格納データを更新する。この場合のスロット管理テーブル１４の状態が、図７（Ｂ）に示した状態となる。すなわち、コードレス電話装置２１は広帯域通話を、コードレス電話装置２２は通常帯域通話を行っており、リンクの空きスロットが３スロットで、待機中のコードレス電話装置は３台であることがスロット管理テーブル１４の格納データに基づき把握される。
【００９３】
このため、主装置１の制御回路１２は、コードレス電話装置２３、２４、２５の親機ＢＳ３、ＢＳ４、ＢＳ５に着信通知を送信する（ステップＳ４、Ｓ５、Ｓ６）。これらの着信通知は、親機ＢＳ３、ＢＳ４、ＢＳ５を通じて子機ＨＳ３、ＨＳ４、ＨＳ５にも通知される（ステップＳ４、Ｓ５、Ｓ６）。これにより、コードレス電話装置２３、２４、２５で着信音の放音やＬＣＤ（Liquid Crystal Display）への着信表示などの着信の発生を報知する処理が行われる。
【００９４】
この後、この例では、発信元がオンフックすることにより、着信が放棄されたとする（ステップＳ７）。この場合、主装置の制御回路１２は、コードレス電話装置２３、２４、２５の親機ＢＳ３、ＢＳ４、ＢＳ５に着信停止の要求を送信する（ステップＳ８、Ｓ９、Ｓ１０）。これらの着信停止の要求は、親機ＢＳ３、ＢＳ４、ＢＳ５を通じて子機ＨＳ３、ＨＳ４、ＨＳ５にも通知される（ステップＳ８、Ｓ９、Ｓ１０）。これにより、コードレス電話装置２３、２４、２５で着信音の放音の停止やＬＣＤ（Liquid Crystal Display）への着信表示の停止など、着信の発生を報知する処理が停止される。
【００９５】
そして、この場合、主装置１のスロット管理部としての制御回路１２は、スロット管理テーブルの格納データにより、コードレス電話装置２１が広帯域通話中であり、コードレス電話装置２２が通常帯域通話中であることを把握している。また、スロット管理テーブルの格納データにより、その他のコードレス電話装置２３、２４、２５は待機中であることを把握している。したがって、空きのスロットが３スロットあることも把握している。
【００９６】
このため、主装置１のスロット管理部としての制御回路１２は、通常帯域通話を行っているコードレス電話装置２２の親機ＢＳ２に対して、制御信号としての帯域追加指示を送信する（ステップＳ１１）。この帯域追加指示は、親機ＢＳ２から子機ＨＳ２にも通知される（ステップＳ１１）。これにより、コードレス電話装置２２においては、通話を維持しつつ使用するスロットを１つ増やすことによって広帯域通話を行うようにする。
【００９７】
この後、コードレス電話装置２２の子機ＨＳ２からは帯域追加完了通知が親機ＢＳ２に送信され（ステップＳ１２）、親機ＢＳ２から帯域追加完了通知が主装置１に送信される（ステップＳ１２）。これにより、主装置１の制御回路１２は、コードレス電話装置２２で使用されるリンクのスロットが１つ追加されたことを把握し、スロット管理テーブル１４の格納データを更新する。この場合のスロット管理テーブル１４の状態が、図６（Ｃ）に示した状態となる。すなわち、コードレス電話装置２１、２２は広帯域通話を行っており、リンクの空きスロットが２スロットで、待機中のコードレス電話装置は３台であることがスロット管理テーブル１４の格納データに基づき把握される。
【００９８】
［主装置１によるスロット制御のまとめ］
次に、図６〜図８を用いて説明した通話におけるスロット数の切り替え制御だけでなく、着信時や発信時におけるスロット数の選択制御をも含めた、主装置１により行われるコードレス電話装置２１〜２５のスロットに関する制御処理についてまとめる。図９〜図１２は、主装置１の制御回路１２で行われる処理を説明するためのフローチャートである。図９は、主装置１で行われるメインルーチンのフローチャートであり、図１０〜図１２は、図９で用いられるサブルーチンのフローチャートである。
【００９９】
［メインルーチンの処理］
図９に示すメインルーチンの処理は、主装置１の制御回路１２において常時実行されている処理である。主装置１の制御回路１２は、回線Ｉ／Ｆ１１や回線ＬＳＩ部１３の各制御信号処理部３２からの制御信号に基づいて、着信、発信、着信放棄、回線開放などの事象が発生したか否かを判別する。具体的に、制御回路１２は、まず、着信が発生したか否かを判別する（ステップＳ１０１）。ステップＳ１０１の判別処理で着信が発生したと判別した時には、後述する着信処理ルーチンを実行する（ステップＳ１０２）。この後ステップＳ１０１からの処理を繰り返す。
【０１００】
また、ステップＳ１０１の判別処理で着信は発生していないと判別した時には、制御回路１２は、発信が発生したか否かを判別する（ステップＳ１０３）。ステップＳ１０３の判別処理で発信が発生したと判別した時には、後述する発信処理ルーチンを実行する（ステップＳ１０４）。この後ステップＳ１０１からの処理を繰り返す。
【０１０１】
また、ステップＳ１０３の判別処理で発信は発生していないと判別した時には、制御回路１２は、着信の放棄や通話回線の開放が発生したか否かを判別する（ステップＳ１０５）。ステップＳ１０５の判別処理で着信の放棄や通話回線の開放が発生したと判別した時には、スロット管理テーブルの情報に基づいて、帯域の変更が必要か否かを判別する（ステップＳ１０６）。このステップＳ１０６の判別処理は、空きスロットが十分にあるのに、通常帯域通話をおこなっているコードレス電話装置が存在するか否かを判別する処理である。
【０１０２】
ステップＳ１０６の判別処理で、帯域の変更が必要であると判別した時には、後述する帯域変更処理ルーチンを実行する（ステップＳ１０７）。この後ステップＳ１０１からの処理を繰り返す。なお、ステップＳ１０５の判別処理で着信の放棄や通話回線の開放は発生していないと判別した時と、ステップＳ１０６の判別処理で、帯域の変更が必要ではないと判別した時には、ステップＳ１０１からの処理を繰り返すことになる。
【０１０３】
［着信発生時の処理］
図９に示したメインルーチンのステップＳ１０１において、着信が発生したと判別した時には、主装置１の制御回路１２は、ステップＳ１０２において、図１０に示す着信処理ルーチンを実行する。
【０１０４】
制御回路１２は、まず、スロット管理テーブル１４の格納データを参照し、現在の空きスロット数は、着信先数、すなわち、着信を通知すべきコードレス電話装置の台数以上か否かを判別する（ステップＳ２０１）。図５を用いて説明したように、現在の空きスロット数は、この実施形態のリンク（ダウンリンク及びアップリンク）のスロット総数である６スロットから使用スロット数を引き算することにより得られる。また、着信を通知すべきコードレス電話装置の台数は、スロット管理テーブル１４の未使用のコードレス電話装置の台数である。
【０１０５】
ステップＳ２０１の判別処理において、現在の空きスロット数は、着信先数以上ではない（空きスロットが不足している）と判別したとする。このように、空きスロットが不足するのは、ダウンリンクとアップリンクの双方に２スロット必要な広帯域通話を行っているコードレス電話装置が存在しているからである。このため、制御回路１２は、スロット管理テーブル１４の格納データに基づいて、通常帯域通話に変更する広帯域通話中のコードレス電話装置を特定する処理を行う（ステップＳ２０２）。この実施形態では、広帯域通話を行っているコードレス電話装置が複数存在する場合には、スロット管理テーブル１４の優先順位に基づいて、通常帯域通話に変更するコードレス電話装置を特定する。
【０１０６】
この後、制御回路１２は、広帯域通話を行っている特定したコードレス電話装置の親機に対して、通常帯域通話を行うようにする制御信号（帯域開放要求）を送信する（ステップＳ２０３）。これにより、当該制御信号を受け付けたコードレス電話装置の親機は、通話状態を維持しつつ、広帯域通話から通常帯域通話に変更する処理を行い、変更が完了すると、帯域開放完了通知を送信してくるので、これに基づき、制御回路１２は、スロット管理テーブル１４の格納データを更新する。
【０１０７】
そして、制御回路１２は、自機に収容されているコードレス電話装置の内、待機中のコードレス電話装置に対して着信を通知する（ステップＳ２０４）。この後、制御回路１２は、着信を通知したコードレス電話装置から当該着信に応答する操作が行われたか否かを判別する（ステップＳ２０５）。ステップＳ２０５の判別処理において、応答操作が行われたと判別した時には、制御回路１２は、スロット管理テーブル１４の格納データに基づいて、広帯域通話が可能か否かの判定を行う（ステップＳ２０６）。
【０１０８】
ステップＳ２０６では、広帯域通話が可能な分のスロットがあるか否かを判別する処理であり、この例では空きスロットと着信先数までは考慮しない。空きスロットと着信先数の考慮は、ステップＳ２０２でなされるためである。そして、制御回路１２は、ステップＳ２０６の判定処理の結果が、広帯域通話が可能であることを示すものであるか否かを判別する（ステップＳ２０７）。
【０１０９】
ステップＳ２０７の判別処理において、広帯域通話が可能であると判別した時には、制御回路１２は、着信に応答してきたコードレス電話装置の親機に制御信号を供給して、広帯域通話で着信元と通話を開始させる（ステップＳ２０８）。このステップＳ２０８では、広帯域通話開始後、コードレス電話装置の親機から提供される広帯域通話開始通知に基づいて、スロット管理テーブル１４の格納データの更新も行われる。
【０１１０】
また、ステップＳ２０７の判別処理において、広帯域通話は不可能であると判別した時には、制御回路１２は、着信に応答してきたコードレス電話装置の親機に制御信号を供給して、通常帯域通話で着信元と通話を開始させる（ステップＳ２０９）。このステップＳ２０９では、通常帯域通話開始後、コードレス電話装置の親機から提供される通常帯域通話開始通知に基づいて、スロット管理テーブル１４の格納データの更新も行われる。
【０１１１】
また、ステップＳ２０５の判別処理において、応答操作は行われていないと判別した時には、制御回路１２は、発呼元がオンフックするなどして着信を放棄したか否かを判別する（ステップＳ２１０）。ステップＳ２１０の判別処理において、着信が放棄されたと判別した時には、制御回路１２は、着信通知をしたコードレス電話装置に対して着信停止を通知し、着信通知処理を停止させる（ステップＳ２１１）。ステップＳ２１０の判別処理において、着信は放棄されていないと判別した時には、制御回路１２は、ステップＳ２０５からの処理を繰り返す。
【０１１２】
そして、ステップＳ２０８の処理の後と、ステップＳ２０９の処理の後と、ステップＳ２１１の処理の後においては、この図１０に示す着信処理ルーチンを終了し、図９に示したメインルーチンのステップＳ１０２の処理に戻り、メインルーチンのステップＳ１０１からの処理を繰り返すことになる。
【０１１３】
［発信発生時の処理］
図９に示したメインルーチンのステップＳ１０３において、発信が発生したと判別した時には、主装置１の制御回路１２は、ステップＳ１０４において、図１１に示す発信処理ルーチンを実行する。
【０１１４】
制御回路１２は、発信元のコードレス電話装置からの発信先（相手先）の電話番号などの情報を用いて、相手先に対して電話をかけるようにする発信処理を行う（ステップＳ３０１）。この後、制御回路１２は、発信先（相手先）が応答したか否かを判別する（ステップＳ３０２）。
【０１１５】
ステップＳ３０２の判別処理において、発信先（相手先）が応答したと判別した時には、制御回路１２は、スロット管理テーブル１４の格納データに基づいて、広帯域通話が可能か否かの判定を行う（ステップＳ３０３）。このステップＳ３０３の判定処理は、図１０に示したステップＳ２０６の判定処理と同様の処理である。そして、制御回路１２は、ステップＳ３０３の判定処理の結果が、広帯域通話が可能であることを示すものであるか否かを判別する（ステップＳ３０４）。
【０１１６】
ステップＳ３０４の判別処理において、広帯域通話が可能であると判別した時には、制御回路１２は、発信元のコードレス電話装置の親機に制御信号を供給して、広帯域通話で着信先と通話を開始させる（ステップＳ３０５）。このステップＳ３０５では、広帯域通話開始後、コードレス電話装置の親機から提供される広帯域通話開始通知に基づいて、スロット管理テーブル１４の格納データの更新も行われる。
【０１１７】
また、ステップＳ３０４の判別処理において、広帯域通話は不可能であると判別した時には、制御回路１２は、発信元のコードレス電話装置の親機に制御信号を供給して、通常帯域通話で着信元と通話を開始させる（ステップＳ３０６）。このステップＳ３０６では、通常帯域通話開始後、コードレス電話装置の親機から提供される通常帯域通話開始通知に基づいて、スロット管理テーブル１４の格納データの更新も行われる。
【０１１８】
また、ステップＳ３０２の判別処理において、応答操作は行われていないと判別した時には、制御回路１２は、発信元のコードレス電話装置においてオンフックするなどして発信を放棄したか否かを判別する（ステップＳ３０７）。ステップＳ３０７の判別処理において、発信が放棄されたと判別した時には、制御回路１２は、着信先への発信を停止させる処理を行う（ステップＳ３０８）。ステップＳ３０７の判別処理において、発信は放棄されていないと判別した時には、制御回路１２は、ステップＳ３０２からの処理を繰り返す。
【０１１９】
そして、ステップＳ３０５の処理の後と、ステップＳ３０６の処理の後と、ステップＳ３０８の処理の後においては、この図１１に示す発信処理ルーチンを終了し、図９に示したメインルーチンのステップＳ１０４の処理に戻り、メインルーチンのステップＳ１０１からの処理を繰り返すことになる。
【０１２０】
［帯域変更が必要な場合の処理］
図９に示したメインルーチンのステップＳ１０５の判別処理において、着信や発信の放棄や通話回線の開放が行われたと判別し、且つ、ステップＳ１０６の判別処理において、帯域の変更が必要であると判別したとする。この場合、主装置１の制御回路１２は、ステップＳ１０７において、図１２に示す帯域変更処理ルーチンを実行する。このように、着信や発信の放棄や通話回線の開放が発生した時には、空きスロットが増える場合があるので、通常帯域通話を行っているコードレス電話装置を広帯域通話に変更できるためである。
【０１２１】
このため、制御回路１２は、まず、スロット管理テーブル１４の格納データに基づいて、広帯域通話に変更する通常帯域通話中のコードレス電話装置を特定する処理を行う（ステップＳ４０１）。この実施形態では、通常帯域通話を行っているコードレス電話装置が複数存在する場合には、スロット管理テーブル１４の優先順位に基づいて、広帯域通話に変更するコードレス電話装置を特定する。
【０１２２】
この後、制御回路１２は、通常帯域通話を行っている特定したコードレス電話装置の親機に対して、広帯域通話を行うようにする制御信号（帯域追加指示）を送信し、通常帯域通話から広帯域通話へ変更する処理を行う（ステップＳ４０２）。これにより、当該制御信号を受け付けたコードレス電話装置の親機は、通話状態を維持しつつ、通常帯域通話から広帯域通話に変更処理を行い、変更が完了すると、帯域追加完了通知を送信してくるので、これに基づき、制御回路１２は、スロット管理テーブル１４の格納データを更新する。
【０１２３】
この後、制御回路１２は、この図１２に示す帯域変更処理ルーチンを終了し、図９に示したメインルーチンのステップＳ１０７の処理に戻り、メインルーチンのステップＳ１０１からの処理を繰り返すことになる。
【０１２４】
［第１の実施の形態の効果］
このように、この第１の実施の形態においては、主装置１のスロット管理部としての制御回路１２と、スロット管理テーブル１４との機能により、主装置１に収容されたコードレス電話装置２１〜２５でのスロットの使用状況が適切に管理できる。これにより、広帯域通話と通常帯域通話との切り替えを適切に制御することができ、できるだけ高品位の音声通話を行うようにしつつ、スロットが不足する事態を防止し、無線通信システム全体が適切に機能する状態を常時維持することができる。すなわち、高品位通話が可能な信頼性の高い無線通信システムを実現できる。
【０１２５】
［第２の実施の形態］
［無線通信システムの構成例；図１３］
図１３は、この発明による無線通信システムの第２の実施形態としての電話システム１０Ａの全体の構成例を示すブロック図である。この例の電話システム１０Ａにおいては、上位装置の例としての主装置１Ａに対して、内線電話装置として、複数のコードレス電話装置２１Ａ、２２Ａ、・・・、２ｎＡ（ｎは２以上の整数。以下同じ）が接続されている。コードレス電話装置２１Ａ〜２ｎＡのそれぞれは、コードレス通信装置の例であり、親機としてのベースセットＢＳ１Ａ、ＢＳ２Ａ、・・・、ＢＳｎＡのそれぞれと、子機としてのハンドセットＨＳ１Ａ、ＨＳ２Ａ、・・・、ＨＳｎＡのそれぞれとからなり、親機ＢＳ１Ａ〜ＢＳｎＡのそれぞれと、子機ＨＳ１Ａ〜ＨＳｎＡのそれぞれとは、無線接続される。
【０１２６】
そして、図１３と図１とを比較すると分かるように、この第２の実施の形態の電話システム１０Ａと第１の電話システム１０との全体構成は同様に構成される。すなわち、主装置に対して複数のコードレス電話装置が接続されて電話システムが構成される。しかし、この第２の実施の形態の電話システム１０Ａと、第１の実施の形態の電話システム１０とでは、広帯域通話と通常帯域通話との切り替え制御やスロット数の選択制御を行う主体が異なるものである。
【０１２７】
すなわち、上述した第１の実施の形態の電話システム１０の場合には、主装置１が、配下のコードレス電話装置２１〜２５のスロットの使用状況を管理した。そして、主装置１が、コードレス電話装置２１〜２５における広帯域通話と通常帯域通話との切り替えやスロット数の選択を制御した。
【０１２８】
これに対して、この第２の実施の形態の電話システム１０Ａの場合には、主装置１Ａに接続されたコードレス電話装置２１Ａ〜２ｎＡの親機ＢＳ１Ａ〜ＢＳｎＡのそれぞれが、いわゆるキャリアセンスを行ってその時点のスロットの使用状況を把握する。そして、コードレス電話装置２１Ａ〜２ｎＡの親機ＢＳ１Ａ〜ＢＳｎＡのそれぞれが、その時点のスロットの使用状況に応じて、自機において広帯域通話を行うのか、通常帯域通話を行うのかを制御する。
【０１２９】
このため、この第２の実施の形態の主装置１Ａは、図１、図２を用いて説明したように制御回路１２が実現するスロット管理部としての機能やスロット管理テーブル１４は備えないものである。この点を除けば、この第２の実施の形態の主装置１Ａも、図２に示した主装置１と同様に構成されるものである。このため、この第２の実施の形態では、主装置１Ａの詳細な説明は、第１の実施の形態の主装置１と重複するので省略する。
【０１３０】
そして、この第２の実施の形態のコードレス電話装置２１Ａ〜２ｎＡの親機ＢＳ１Ａ〜ＢＳｎＡのそれぞれは、図１３に示すように、スロット制御部４１１とキャリアセンス部４４２２とを備えたものとなる。なお、この第２の実施の形態のコードレス電話装置２１Ａ〜２ｎＡの親機ＢＳ１Ａ〜ＢＳｎＡのそれぞれの構成については、第１の実施の形態のコードレス電話装置２１〜２ｎの親機ＢＳ１〜ＢＳｎと異なる部分を中心に後述する。
【０１３１】
また、この第２の実施の形態のコードレス電話装置２１Ａ〜２ｎＡの子機ＨＳ１Ａ〜ＨＳｎＡのそれぞれは、第１の実施の形態のコードレス電話装置２１〜２ｎの子機ＨＳ１〜ＨＳｎのそれぞれと同様に構成されるものである。このため、この第２の実施の形態では、コードレス電話装置２１Ａ〜２ｎＡの子機ＨＳ１Ａ〜ＨＳｎＡのそれぞれの詳細な説明は、第１の実施の形態の場合と重複するので省略する。
【０１３２】
［第２の実施の形態の親機の構成例；図１４］
複数個のコードレス電話装置２１Ａ〜２ｎＡの親機ＢＳ１Ａ〜ＢＳｎＡのそれぞれは、全て同じ構成を備える。そこで、以下の説明では、コードレス電話装置２１Ａの親機ＢＳ１Ａの場合を例にとって、親機の構成例を説明する。
【０１３３】
図１４は、親機ＢＳ１Ａの構成例を示すブロック図である。図１４に示すように、第２の実施の形態の親機ＢＳ１Ａは、無線通信回路４４のＴＤＭＡ変復調部４４２にキャリアセンス部４４２２が設けられている。また、制御回路４１にスロット制御部４１１が設けられている。これら以外の部分は、図３を用いて説明した第１の実施の形態の親機ＢＳ１と同様に構成される。このため、図１４において、第１の実施の形態の親機ＢＳ１と同様に構成される部分には、第１の実施の形態の親機ＢＳ１と同じ参照符号を付し、その部分の詳細な説明は重複するので省略する。
【０１３４】
キャリアセンス部４４２２は、無線通信部４４３からの受信信号の供給を受けて、自機が使用するチャンネルのリンクにおけるスロットの使用状況を検出する。この実施形態において、キャリアセンス部４４２２は、ＰＬＬ部４４２１からのタイミング信号及びクロック信号を利用して、自機が使用するチャンネルのリンクにおいて、使用されているスロットは幾つあるかを検出する。この検出結果は、制御部４４１を通じて制御回路４１のスロット制御部４１１に通知される。
【０１３５】
そして、スロット制御部４１１は、無線通信回路４４のキャリアセンス部４４２２の検出結果に基づいて、自機において通話を開始する場合に、広帯域通話を行うのか、通常帯域通話を行うのかを制御する。また、スロット制御部４１１は、無線通信回路４４のキャリアセンス部４４２２の検出結果に基づいて、自機が通話中の場合に、広帯域通話と通常帯域通話との相互間の変更制御を行う。
【０１３６】
［スロット制御部４１１の制御の概要］
図１５は、主装置１Ａに接続されるコードレス電話装置の台数と、当該コードレス電話装置が広帯域通話を行った場合のスロット数の関係を示す図である。図１５において、電話装置の台数は、主装置１Ａに接続されたコードレス電話装置の台数を示し、広帯域通話の場合のスロット数は、主装置１Ａに接続された全てのコードレス電話装置が広帯域通話を行った場合に使用されるスロットの総数を示す。また、空きスロット数は、主装置１Ａに接続された全てのコードレス電話装置が広帯域通話を行った場合に未使用となるスロット数を示し、不足スロット数は、主装置１Ａに接続された全てのコードレス電話装置が広帯域通話を行った場合に不足するスロット数を示す。
【０１３７】
図１５を見ると分かるように、ＤＥＣＴ規格のリンクにおけるスロット総数は６スロットであるので、主装置１Ａに接続されるコードレス電話装置が３台までは、そのすべてが同時に広帯域通話を行ったとしても、スロットが不足することはない。しかし、主装置１Ａに接続されるコードレス電話装置が４台を超えると、その全てが広帯域通話を行うと、必ずスロットは不足するので適切な制御を行う必要が生じることが分かる。
【０１３８】
そして、この第２の実施の形態のコードレス電話装置２１〜２ｎＡにおいて、キャリアセンス部４４２２は、自機が使用するチャンネルのリンクにおいて、幾つのスロットが使用されているかは検出可能である。しかし、どのスロットをどのコードレス電話装置が使用しているのかまでは正確に把握することは難しい。そこで、この第２の実施の形態の親機ＢＳ１Ａ〜ＢＳｎＡにおいては、スロット制御部４１１が、キャリアセンス部４４２２で検知される使用されているスロットの数から、主装置１Ａに接続されているコードレス電話装置の台数を把握する。
【０１３９】
具体的には、各親機ＢＳ１Ａ〜ＢＳｎＡのスロット制御部４１１は、自機が通話を行っていない状態で、使用スロット数が常時０である場合には、主装置１Ａのコードレス電話装置の接続台数は１台だけ（自機だけ）であると判別できる。同様に、自機が通話を行っていない状態で、使用スロット数が常時２以下であれば、主装置１Ａのコードレス電話装置の接続台数は２台であると判別できる。また、自機が通話を行っていない状態で、使用スロット数が常時４以下であれば、主装置１Ａのコードレス電話装置の接続台数は３台であると判別できる。
【０１４０】
そして、主装置１Ａのコードレス電話装置の接続台数が３台以下の場合には、図１５を用いて説明したように、広帯域通話と通常帯域通話の切り替え制御を行う必要はない。これに対して、主装置１Ａのコードレス電話装置の接続台数が４台以上の場合には、適切に広帯域通話と通常帯域通話の切り替え制御を行う必要が生じる。図１６は、使用スロット数と主装置１Ａへのコードレス電話装置の接続台数との関係を説明するための図である。
【０１４１】
各親機ＢＳ１Ａ〜ＢＳｎＡのスロット制御部４１１は、自機が通話を行っていない場合であって、使用スロット数が３スロット〜５スロットであることが多い場合には、主装置１Ａのコードレス電話装置の接続台数は、自機を含めて４台であると判別する。すなわち、自機が通話中でないとすれば、残りの３台が通話中になる可能性がある。そして、自機以外の３台のコードレス電話装置が通話中の場合の広帯域通話と通常帯域通話の利用態様を考える。この場合、自機以外の３台のコードレス電話装置の全てが通常帯域通話を行っていれば、使用スロット数は３スロットになる。また、当該３台の内の１台が広帯域通話を行い残りの２台のコードレス電話装置が通常帯域通話を行っていれば、使用スロットは４スロットになる。
【０１４２】
また、当該３台の内の２台が広帯域通話を行い残りの１台のコードレス電話装置が通常帯域通話を行っていれば、使用スロットは５スロットになる。そして、当該３台とも広帯域通話を行っている場合には、使用スロットは６スロットになり、自機分のスロットは不足することになる。このようにスロットが不足する場合はなるべく避けるようにされるべきであることを踏まえれば、使用スロット数が３スロット〜５スロットであることが多い場合には、主装置１Ａのコードレス電話装置の接続台数は、自機を含めて４台であると判別できる。
【０１４３】
同様の考え方から、各親機ＢＳ１Ａ〜ＢＳｎＡのスロット制御部４１１は、自機が通話を行っていない場合であって、使用スロット数が４スロット〜５スロットであることが多い場合には、主装置１Ａのコードレス電話装置の接続台数は、自機を含めて５台であると判別する。すなわち、自機が通話中でないとすれば、残りの４台が通話中になる可能性がある。そして、自機以外の４台のコードレス電話装置が通話中の場合の広帯域通話と通常帯域通話の利用態様を考える。この場合、自機以外の４台のコードレス電話装置の全てが通常帯域通話を行っていれば、使用スロット数は４スロットになる。また、当該４台の内の１台が広帯域通話を行い残りの３台のコードレス電話装置が通常帯域通話を行っていれば、使用スロットは５スロットになる。
【０１４４】
また、当該４台の内の２台が広帯域通話を行い残りの２台のコードレス電話装置が通常帯域通話を行っていれば、使用スロットは６スロットになり、自機分のスロットは不足することになる。このようにスロットが不足する場合はなるべく避けるようにされるべきであることを踏まえれば、使用スロット数が４スロット〜５スロットであることが多い場合には、主装置１Ａのコードレス電話装置の接続台数は、自機を含めて５台であると判別できる。
【０１４５】
また、各親機ＢＳ１Ａ〜ＢＳｎＡのスロット制御部４１１は、自機が通話を行っていない場合であって、使用スロット数が５スロット〜６スロットであることが多い場合には、主装置１Ａのコードレス電話装置の接続台数は、自機を含めて６台であると判別する。すなわち、自機が通話中でないとすれば、残りの５台が通話中になる可能性がある。そして、自機以外の５台のコードレス電話装置が通話中の場合の広帯域通話と通常帯域通話の利用態様を考える。
【０１４６】
この場合、自機以外の５台のコードレス電話装置の全てが通常帯域通話を行っていれば、使用スロット数は５スロットになる。また、当該５台の内の１台が広帯域通話を行い残りの４台のコードレス電話装置が通常帯域通話を行っていれば、使用スロットは６スロットになり、自機分のスロットは不足することになる。このようにスロットが不足する場合はなるべく避けるようにされるべきであることを踏まえれば、使用スロット数が５スロット〜６スロットであることが多い場合には、主装置１Ａのコードレス電話装置の接続台数は、自機を含めて６台であると判別できる。
【０１４７】
なお、スロット制御部４１１は、キャリアセンス部４４２２からの検出結果としての使用スロット数を所定のメモリに蓄積することによって検出履歴を保持するようにすると共に、自記の動作履歴も保持するようにする。これにより、自記が通話を行っていない状態にあるときに（待機中の時に）、スロットの使用状況はどのような状況かを正確に把握できる。これに基づき、上述もしたように、主装置１Ａに接続されているコードレス通信装置の台数も予測して把握できる。
【０１４８】
そして、主装置１Ａのコードレス電話装置の接続台数が４台以上の場合、コードレス電話装置２１Ａ〜２ｎＡの各親機ＢＳ１Ａ〜ＢＳｎＡは、広帯域通話と通常帯域通話の切り替え制御を適切に行うようにしている。以下においては、上述したように、キャリアセンス部４４２２による使用スロット数の検出結果から、スロット制御部４１１において、主装置１Ａへのコードレス電話装置の接続台数は４台であると判別した場合を例にして具体的に説明する。
【０１４９】
図１７は、主装置１Ａのコードレス電話装置の接続台数が４台であると判別した場合の使用スロット数に基づく広帯域通話が可能か否かの判別処理について説明するための図である。図１７において、現時点の使用スロット数は、キャリアセンス部４４２２で検出された使用スロット数である。未使用の電話装置の台数は、現時点の使用スロット数から導き出される主装置１Ａに接続されたコードレス電話装置の内、現時点において使用されていないコードレス電話装置の台数である。
【０１５０】
また、図１７において、未使用のスロット数は、リンクのスロット総数（ＤＥＣＴ方式の場合６スロット）から現時点の使用スロット数を減算したスロット数である。また、確保すべきスロット数は、未使用の電話装置が通話を行うために確保しておく必要のあるスロット数である。そして、広帯域通話の可否は、未使用のスロット数と確保すべきスロット数から判別する広帯域通話が可能か否かの判別結果である。
【０１５１】
まず、図１７において、現時点の使用スロット数が０スロットの場合、通話を行っているコードレス電話装置は存在しないので、未使用の電話装置の台数は、判別した接続台数と同じ４台である。また、現時点の使用スロット数が０スロットであるので、未使用のスロット数は６である。そして、未使用の４台の電話端末の全てが通話を行うために必要なスロット数は、通常帯域通話を行う場合には４スロットでよいので、確保すべきスロット数は４スロットということになる。この時、もし、自機が２スロット必要な広帯域通話を行ったとしても、他の３台のコードレス電話装置が通常帯域通話を行うのであれば、スロットが不足することはないので、親機のスロット制御部４１１は、広帯域通話をすることが可能（ＯＫ）であると判別する。
【０１５２】
また、図１７において、現時点の使用スロット数が１スロットの場合、通話を行っているコードレス電話装置は１台だけであるので、未使用の電話装置の台数は、４台から１台減算した３台である。また、現時点の使用スロット数が１スロットであるので、未使用のスロット数は６スロットから１スロット減算した５スロットである。そして、未使用の３台の電話端末の全てが通話を行うために必要なスロット数は、通常帯域通話を行う場合には、３スロットでよいので、確保すべきスロット数は３スロットということになる。この時、もし、自機が広帯域通話を行ったとしても、他の２台のコードレス電話装置が通常帯域通話を行うのであれば、使用するスロット数は４スロットであり、スロットが不足することもない。このため、親機のスロット制御部４１１は、広帯域通話をすることが可能（ＯＫ）であると判別する。
【０１５３】
また、図１７において、現時点の使用スロット数が２スロットの場合、通話を行っているコードレス電話装置は、広帯域通話を行っている１台か、通常帯域通話を行っている２台ということになる。したがって、未使用の電話装置の台数は、２台又は３台ということになる。この場合は、スロットが不足することを確実に防止するため、未使用の電話装置の台数は３台であるものとして考える。
【０１５４】
そして、現時点の使用スロット数が２スロットであるので、未使用のスロット数は６スロットから２スロット減算した４スロットである。そして、未使用の３台の電話端末の全てが通話を行うために必要なスロット数は、通常帯域通話を行う場合には、３スロットでよいので、確保すべきスロット数は３スロットということになる。この時、もし、自機が広帯域通話を行ったとしても、他の２台のコードレス電話装置が通常帯域通話を行うのであれば、使用するスロット数は４スロットである。このため、スロットが不足することもないので、親機のスロット制御部４１１は、広帯域通話をすることが可能（ＯＫ）であると判別する。
【０１５５】
また、図１７において、現時点の使用スロット数が３スロットの場合、通話を行っているコードレス電話装置は、広帯域通話を行っている１台と通常帯域通話を行っている１台の、合わせて２台か、通常帯域通話を行っている３台ということになる。したがって、未使用の電話装置の台数は、１台又は２台ということになる。この場合は、スロットが不足することを確実に防止するため、未使用の電話装置の台数は２台であるものとして考える。
【０１５６】
そして、現時点の使用スロット数が３スロットであるので、未使用のスロット数は６スロットから３スロット減算した３スロットである。そして、未使用の２台の電話端末の全てが通話を行うために必要なスロット数は、通常帯域通話を行う場合には、２スロットでよいので、確保すべきスロット数は２スロットということになる。この時、もし、自機が広帯域通話を行ったとしても、他の１台のコードレス電話装置が通常帯域通話を行うのであれば、使用するスロット数は３スロットである。このため、スロットが不足することもないので、親機のスロット制御部４１１は、広帯域通話をすることが可能（ＯＫ）であると判別する。
【０１５７】
また、図１７において、現時点の使用スロット数が４スロットの場合、通話を行っているコードレス電話装置は、広帯域通話を行っている２台か、広帯域通話を行っている１台と通常帯域通話を行っている２台の、合わせて３台ということになる。通常帯域通話を行っている４台ということも考えられるが、自機（判別主体のコードレス電話装置）が未使用であることを考えれば、通話中のコードレス電話装置が４台という場合は発生しない。したがって、未使用の電話装置の台数は、１台又は２台ということになる。この場合は、スロットが不足することを確実に防止するため、未使用の電話装置の台数は２台であるものとして考える。
【０１５８】
そして、現時点の使用スロット数が４スロットであるので、未使用のスロット数は６スロットから４スロット減算した２スロットである。そして、未使用の２台の電話端末の全てが通話を行うために必要なスロット数は、通常帯域通話を行う場合には、２スロットでよいので、確保すべきスロット数は２スロットということになる。この時、もし、自機が広帯域通話を行ったとすると、他の１台のコードレス電話装置が通常帯域通話を行ったとしても、使用するスロット数は３スロットである。このため、スロットが１スロット不足することになり、この場合には、親機のスロット制御部４１１は、広帯域通話をすることが不可能（ＮＧ）であると判別する。
【０１５９】
また、図１７において、現時点の使用スロット数が５スロットと６スロットの場合には、図１７から明らかであるように、未使用のコードレス電話装置が広帯域通話を行うために必要な２スロットを確保することはできない。このため、現時点の使用スロット数が５スロットと６スロットの場合には、親機のスロット制御部４１１は、広帯域通話をすることが不可能（ＮＧ）であると判別する。
【０１６０】
このように、現時点の使用スロット数と未使用の電話端末の台数とから、自機において広帯域通話が可能か否かを判別することが可能となる。このような考え方の下に、各コードレス電話装置２１Ａ〜２ｎＡの親機ＢＳ１Ａ〜ＢＳｎＡは、自機において広帯域通話が可能か否かを判別し、広帯域通話を行うのか、通常帯域通話を行うのかを適切に制御するようにしている。
【０１６１】
次に、この第２の実施の形態において、各コードレス電話装置２１Ａ〜２ｎＡの親機ＢＳ１Ａ〜ＢＳｎＡのスロット制御部４１１が行う広帯域通話と通常帯域通話の選択制御について具体例を示して説明する。図１８〜図２０は、親機ＢＳ１Ａ〜ＢＳｎＡのスロット制御部４１１が行う広帯域通話と通常帯域通話の選択制御の具体例を説明するための図である。ここでは、説明を簡単にするため、広帯域通話に関する優先順位が低いコードレス電話装置２１Ｄの親機ＢＳ１Ｄにおいて行われる制御として説明する。また、主装置１Ａへのコードレス電話装置の接続台数も４台と判別されているものとする。
【０１６２】
そして、着信が発生し、この着信に、コードレス電話装置２１ＤのＨＳ１Ｄが用いられて応答操作がされたとする。この場合、コードレス電話装置２１Ｄの親機ＢＳ１Ｄでは、キャリアセンス部４４２２から図１８（Ａ）に示す現時点の使用スロット数が２スロットであるとの検出結果がスロット制御部４１１に通知されたとする。この場合は、図１７に示した上から３番目に示した現時点の使用スロット数が２スロットである状態に対応する。
【０１６３】
そして、未使用のコードレス電話装置は自機も含めて最大で３台である。したがって、図１８（Ｂ）に示すように、自機が広帯域通話を開始したとしても、空きスロットとして２スロットが確保できる。このため、他の２台の未使用のコードレス電話装置が使用できなくなる状態は回避できるので、親機ＢＳ１Ｄのスロット制御部４１１は、自機においては広帯域通話を開始するように制御する。
【０１６４】
また、着信が発生し、この着信に、コードレス電話装置２１ＤのＨＳ１Ｄが用いられて応答操作がされたとする。この場合、コードレス電話装置２１Ｄの親機ＢＳ１Ｄでは、キャリアセンス部４４２２から図１９（Ａ）に示す現時点の使用スロット数が４スロットであるとの検出結果がスロット制御部４１１に通知されたとする。この場合は、図１７に示した上から５番目に示した現時点の使用スロット数が４スロットである状態に対応する。
【０１６５】
そして、未使用のコードレス電話装置は自機も含めて最大で２台である。したがって、自機が広帯域通話を開始してしまうと空きスロットがなくなってしまい、他の未使用のコードレス電話装置分のスロットが確保できない。このため、図１９（Ｂ）に示すように、親機ＢＳ１Ｄのスロット制御部４１１は、自機においては通常帯域通話を開始するように制御し、１スロット分の空きを確保する。
【０１６６】
また、図１８（Ａ）に示した状態で、コードレス電話装置２１Ｄの親機ＢＳ１Ｄが広帯域通話を開始させることにより図１８（Ｂ）の状態になった後に、他の２台の未使用のコードレス電話装置も通常帯域通話を開始させたとする。この場合には、図２０（Ａ）に示すように、リンクには空きスロットが存在しなくなる。この場合、より優先順位の高いコードレス電話装置が広帯域通話できないといった不都合を生じさえる可能性もある。
【０１６７】
そこで、親機ＢＳ１Ｄのスロット制御部４１１は、自機で行っている広帯域通話を、通話状態を維持しつつ通常帯域通話に変更する。これにより、図２０（Ｂ）に示すように、リンクに１スロット分の空きを確保でき、優先順位の高いコードレス電話装置において広帯域通話を行えないといった不都合を防止するなどのことが可能となる。
【０１６８】
図２１は、広帯域通話中のコードレス電話装置２１Ｄの親機ＢＳ１Ｄが行う広帯域通話と通常帯域通話との変更制御の流れを説明するためのシーケンス図である。図２１に示すように、親機ＢＳ１Ｄでは、キャリアセンス部４４２２により常時キャリアセンス処理が実行されており（ステップＳ２１）、所定のタイミングで検出結果として使用中のスロット数を示す情報が、制御回路４１のスロット制御部４１１に通知される。
【０１６９】
そして、図２１に示すように、コードレス電話装置２１Ｄの親機ＢＳ１Ｄと子機ＨＳ１Ｄを通じては広帯域通話が行われているとする。この時に、リンクが混雑し、スロットの空きがないことをスロット制御部４１１が検知したとする（ステップＳ２２）。この場合、親機ＢＳ１Ｄのスロット制御部４１１は、自機と対をなす子機ＨＳ１Ｄに対して、帯域開放指示を送信する（ステップＳ２３）。
【０１７０】
これにより、親機ＢＳ１Ｄと子機ＨＳ１Ｄとのそれぞれは、通話を維持しつつ、２スロットを使用する広帯域通話から１スロットを使用する通常帯域通話に変更する処理を行う。これにより、親機ＢＳ１Ｄと子機ＨＳ１Ｄとからなるコードレス電話装置２１Ｄにおいては、通常帯域通話を行うようにされる。そして、子機ＨＳ１Ｄから帯域開放完了通知が親機ＢＳ１Ｄに送信され（ステップＳ２４）、帯域の開放処理（スロットの開放処理）が完了する。
【０１７１】
この後、他のコードレス電話装置の通話が完了するなどして、リンクにおけるスロットに空きが生じたことをスロット制御部４１１が検知したとする（ステップＳ２５）。この場合、親機ＢＳ１Ｄのスロット制御部４１１は、自機と対をなす子機ＨＳ１Ｄに対して、帯域追加指示を送信する（ステップＳ２６）。
【０１７２】
これにより、親機ＢＳ１Ｄと子機ＨＳ１Ｄとのそれぞれは、通話を維持しつつ、１スロットを使用する通常帯域通話から２スロットを使用する広帯域通話に変更する処理を行う。これにより、親機ＢＳ１Ｄと子機ＨＳ１Ｄとからなるコードレス電話装置２１Ｄにおいては、広帯域通話を行うようにされる。そして、子機ＨＳ１Ｄから帯域追加完了通知が親機ＢＳ１Ｄに送信され（ステップＳ２７）、帯域の追加処理（スロットの追加処理）が完了する。
【０１７３】
このように、この第２の実施の形態の電話システム１０Ａにおいては、主装置１Ａに接続されるコードレス電話装置２１Ａ〜２ｎＡの親機ＢＳ１〜ＢＳｎが制御の主体となって、広帯域通話と通常帯域通話の選択制御と広帯域通話と通常帯域通話の切り替え制御を行うことができる。
【０１７４】
［親機によるスロット制御のまとめ］
次に、この第２の実施の形態のコードレス電話装置２１Ａ〜２ｎＡの親機ＢＳ１Ａ〜ＢＳｎＡのそれぞれ行われる広帯域通話と通常帯域通話の選択制御処理と広帯域通話と通常帯域通話の切り替え制御処理についてまとめる。ここでは、説明を簡単にするため、代表する親機としてＢＳ１Ａで行われる処理として説明する。
【０１７５】
すなわち、図２２は、コードレス電話装置２１Ａの親機ＢＳ１Ａで行われる処理を説明するためのフローチャートである。主装置１Ａに接続されたコードレス電話装置２１Ａの親機ＢＳ１Ａでは、電源が投入されると、図２２に示す処理を開始する。まず、親機ＢＳ１Ａでは各部に電源が供給されて動作が開始され、無線通信回路４４のキャリアセンス部４４２２もキャリアセンス処理を開始する（ステップＳ５０１）。これにより、キャリアセンス部４４２２において、所定のタイミング毎にその時点（現時点）での通信に用いるチャンネルのリンクにおける使用スロット数が検知され、これが制御部４４１を通じてスロット制御部４１１に通知される。
【０１７６】
スロット制御部４１１は、まず、自機の動作状態を確認し、通話中か否かを判別する（ステップＳ５０２）。ステップＳ５０２の判別処理において、自機は通話中ではないと判別したとする。この場合、スロット制御部４１１は、自機の動作状態を確認し、着信に応答することにより、或いは、自機から発信して相手先が応答することにより、通話を開始する状態か否かを判別する（ステップＳ５０３）。
【０１７７】
ステップＳ５０３の判別処理において、自機は通話を開始する状態にあると判別したとする。この場合、スロット制御部４１１は、使用スロット数と、先に判別している主装置１Ａに接続されているコードレス電話装置の接続台数に基づき、図１７を用いて説明した条件にしたがって、広帯域通話が可能か否かの広帯域可否判定を行う（ステップＳ５０４）。
【０１７８】
次に、スロット制御部４１１は、ステップＳ５０４の判定結果が、広帯域通話を行うことが可能であることを示すものか否かを判別する（ステップＳ５０５）。ステップＳ５０５の判別処理において、広帯域通話が可能であると判別した時には、スロット制御部４１１は、対応する子機ＨＳ１Ａを制御して、主装置１Ａを通じて、相手先との間で広帯域通話を開始させる（ステップＳ５０６）。
【０１７９】
また、ステップＳ５０５の判別処理において、広帯域通話が可能ではないと判別した時には、スロット制御部４１１は、対応する子機ＨＳ１Ａを制御して、主装置１Ａを通じて、相手先との間で通常帯域通話を開始させる（ステップＳ５０７）。ステップＳ５０６の処理の後と、ステップＳ５０７の処理の後においては、スロット制御部４１１は、ステップＳ５０２からの処理を繰り返す。
【０１８０】
また、ステップＳ５０２の判別処理において、自機は通話中であると判別したとする。この場合、スロット制御部４１１は、自機の動作状態を確認し、自機は広帯域通話中か否かを判別する（ステップＳ５０８）。ステップＳ５０８の判別処理において、広帯域通話中であると判別したとする。この場合、スロット制御部４１１は、キャリアセンス部４４２２からの使用スロット数を示す情報に基づいて、リンクにおけるスロットの空きが不足しているか否かを判別する（ステップＳ５０９）。
【０１８１】
ステップＳ５０９においては、使用スロット数、未使用スロット数、未使用のコードレス電話装置の台数、自機よりも広帯域通話に関する優先順位が高いコードレス電話装置が存在するかなどの情報に基づいて総合的に判別する。そして、ステップＳ５０９において、スロットの空きが不足していると判別した時には、スロット制御部４１１は、子機ＨＳ１Ａを制御し、通話を維持しつつ広帯域通話から通常帯域通話に変更する処理を行う（ステップＳ５１０）。ステップＳ５１０の処理の後と、ステップＳ５０９においてスロットは不足していないと判別した時には、スロット制御部４１１は、ステップＳ５０２からの処理を繰り返す。
【０１８２】
また、ステップＳ５０８の判別処理において、広帯域通話中ではなく、通常帯域通話中であると判別したとする。この場合、スロット制御部４１１は、キャリアセンス部４４２２からの使用スロット数を示す情報に基づいて、リンクにおけるスロットの空きがあるか否かを判別する（ステップＳ５１１）。
【０１８３】
ステップＳ５１１においても、使用スロット数、未使用スロット数、未使用のコードレス電話装置の台数、自機よりも広帯域通話に関する優先順位が高いコードレス電話装置が存在するかなどの情報に基づいて総合的に判別する。そして、ステップＳ５１１において、リンクにおけるスロットに空きがあると判別した時には、スロット制御部４１１は、子機ＨＳ１Ａを制御し、通話を維持しつつ通常帯域通話から広帯域通話に変更する処理を行う（ステップＳ５１２）。ステップＳ５１２の処理の後と、ステップＳ５１１においてスロットに空きはないと判別した時には、スロット制御部４１１は、ステップＳ５０２からの処理を繰り返す。
【０１８４】
［第２の実施の形態の効果］
このようにして、この第２の実施の形態の電話システム１０Ａにおいては、各コードレス電話装置２１Ａ〜２ｎＡの親機ＢＳ１Ａ〜ＢＳｎＡが、通話開始時に広帯域通話を行うのか、通常帯域通話を行うのかを適切に選択できる。また、各コードレス電話装置２１Ａ〜２ｎＡの親機ＢＳ１Ａ〜ＢＳｎＡが、通話中において、広帯域通話と通常帯域通話との相互の切り替え制御を適切に行うことができる。
【０１８５】
［広帯域通話と通常帯域通話の選択］
上述した実施の形態では、スロットの使用状況や主装置１、１Ａに接続されたコードレス電話装置の内の未使用のコードレス電話装置の台数などの情報に基づいて、広帯域通話を行うのか、通常帯域通話を行うのかを決めるようにした。しかし、実際には、通話の相手先が広帯域通話に対応しているものと、通常帯域通話にしか対応していないものが存在する。そこで、通話の相手先も考慮して、広帯域通話と通常帯域通話を選択することも可能である。
【０１８６】
図２３は、通話の相手先も考慮して、広帯域通話と通常帯域通話を選択する場合について説明するための図である。図２３（Ａ）は、第１の実施の形態において、主装置１が、広帯域通話と通常帯域通話とを選択する場合について説明するための図である。また、図２３（Ｂ）は、第２の実施の形態において、コードレス電話装置２１Ａ〜２ｎＡの親機ＢＳ１Ａ〜ＢＳｎＡが、広帯域通話と通常帯域通話とを選択する場合について説明するための図である。選択の主体が主装置か親機かの違いはあるが、選択の方法は同じである。
【０１８７】
すなわち、電話回線を接続する網（ネットワーク）には、通話の相手先と音声信号の送受信の他に信号の送受を行っていわゆるネゴシエーションができないアナログ網と、ネゴシエーションが可能なＩＰ網やＩＳＤＮなどのデジタル網がある。主装置１、１Ａは、アナログ網に接続されているのか、デジタル網に接続されているのか、その両方に接続されているのかを把握して管理できる。また、主装置１、１Ａが、アナログ網とデジタル網の両方に接続されている場合、通話のために接続された通話回線は、どちらの網を通じて接続されているのかも把握できる。そして、主装置１、１Ａが把握可能であれば、その配下のコードレス電話装置にどちらの網を通じて通話回線が接続されたかを通知することもできる。
【０１８８】
そこで、第１の実施の形態に場合には、発信時や着信時において、アナログ網を通じて通話回線が接続された時には、発信時には着信先に基づいて、着信時には発信元に基づいて、広帯域通話を行うのか、通常帯域通話を行うのかを決める。具体的には、発信時には、入力した（選択した）相手先の電話番号が、「０８０」や「０９０」などの携帯電話端末の番号や「１１０」や「１１９」などの警察や消防などの特別番号である時には、相手先は広帯域通話が可能であるので広帯域通話を用いるようにする。また、着信時には、相手先から通知された電話番号が、「０８０」や「０９０」などの携帯電話端末の番号である場合に、広帯域通話を用いるようにする。アナログ網を通じて通話回線が接続された場合であって、上記以外の電話番号が用いられている場合には、通常帯域通話を用いるようにする。
【０１８９】
また、発信時や着信時において、デジタル網を通じて通話回線が接続された時には、発信時や着信時において、相手先の端末とネゴシエーションを行い、相手先の端末が、広帯域通話が可能なものであることが確認できた場合に広帯域通話を用いる。逆に、広帯域通話が不能なものであることが確認できた時には、通常帯域通話を用いる。
【０１９０】
以上のことが、第２の実施の形態においても、判断の主体が主装置１から各コードレス電話装置２１Ａ〜２ｎＡの親機ＢＳ１Ａ〜ＢＳｎＡに変わるだけで、その判別方法が変わることはない。しかし、通話回線が接続された網がアナログ網かデジタル網かなどの情報は、主装置１Ａから各親機ＢＳ１Ａ〜ＢＳｎＡが提供を受けることになる。また、相手先の端末とネゴシエーションを行う場合にも、第２の実施の形態の場合には、主装置１Ａを介して、各親機ＢＳ１Ａ〜ＢＳｎＡが行うことになる。
【０１９１】
そして、第１の実施の形態の場合には、図１０に示したステップＳ２０６の処理や図１１に示したステップＳ３０３の処理において、相手先が広帯域通話の可能の端末か否かをも考慮して、広帯域通話を行うのか、通常帯域通話を行うのかを判定すればよい。また、発信時や着信時の判別結果を主装置１の制御回路１２が所定のメモリに保持しておけば、図１２の処理においても、広帯域通話に変更すべきか否かを適切に判別し、相手先が通常帯域通話しかできない場合に、無駄に広帯域通話に変更しないように制御できる。
【０１９２】
また、第２の実施の形態の場合には、図２２に示した処理のステップＳ５０４の処理において、相手先が広帯域通話の可能の端末か否かをも考慮して、広帯域通話を行うのか、通常帯域通話を行うのかを判定すればよい。また、発信時や着信時の判別結果を各親機ＢＳ１Ａ〜ＢＳｎＡのスロット制御部４１１が所定のメモリに保持しておけば、図２２のステップＳ５１２の処理においても、広帯域通話に変更すべきか否かを適切に判別し、相手先が通常帯域通話しかできない場合に、無駄に広帯域通話に変更しないように制御できる。
【０１９３】
［変形例等］
ＤＥＣＴ規格の通信方式の場合、周波数の異なる通信チャンネルを最大で５チャンネル利用することができる。このため、用いる通信チャンネルが異なるコードレス電話装置のグループごとに上述した第１、第２の実施の形態の発明を適用することにより、主装置に対してより多くのコードレス電話装置を接続した場合にも、上述した実施の形態の場合と同様の効果が得られる。
【０１９４】
また、上述した実施の形態では、コードレス電話装置の親機と子機との間では、ＤＥＣＴ規格の通信方式が採用されているものとして説明したが、これに限るものではない。単位通信期間を複数のスロットに分割し、用いるスロット数の変更が可能な種々の通信方式にこの発明を適用できる。
【０１９５】
また、上述した実施の形態では、通常帯域通話はダウンリンクとアップリンクのそれぞれで１スロット用い、広帯域通話はダウンリンクとアップリンクのそれぞれで２スロット用いるものとして説明したが、これに限るものではない。例えば、低品位、中品位、高品位というように、複数の品位段階に応じて使用するスロット数を異ならせる場合にも、この発明を適用できる。
【０１９６】
また、上述の実施の形態で用いた主装置は一例であり、ＳＩＰ装置やＰＢＸ（Private Branch eXchange）などと呼ばれる構内交換装置など、広域電話網に接続されると共に、種々の電話端末を収容するいわゆる種々の上位装置を用いることが可能である。また、広域電話網は、ＰＳＴＮ（Public Switched Telephone Network）、ＩＳＤＮ（Integrated Services Digital Network）、ＩＰ（Internet Protocol）網など種々のネットワーク（網）が含まれる。
【０１９７】
［その他］
また、上述した実施の形態の説明からも分かるように、上位装置の記憶手段の機能は、主装置１のスロット管理テーブルが実現し、当該上位装置のスロット管理手段、スロット制御手段の機能は、主装置１の制御回路１２が実現する。また、コードレス通信装置の親機の通知手段の機能は、制御回路４１と回線ＬＳＩ部４２が協働して実現し、コードレス通信装置の親機の制御手段の機能は、コードレス電話装置の制御回路４１が実現する。
【０１９８】
また、上位装置の判別手段、スロット変更制御手段の機能は、主装置１の制御回路１２が実現し、コードレス通信装置の親機の変更制御手段は、コードレス電話装置の親機の制御回路４１が実現する。
【０１９９】
また、コードレス通信装置の親機のキャリアセンス手段の機能は、コードレス電話装置２１Ａ〜２ｎＡの親機ＢＳ１Ａ〜ＢＳｎＡのキャリアセンス部４４２２が実現し、コードレス通信装置の親機の総数特定手段、決定手段、制御手段の各機能は、コードレス電話装置２１Ａ〜２ｎＡの親機ＢＳ１Ａ〜ＢＳｎＡの制御回路４１のスロット制御部４１１が実現する。また、コードレス通信装置の親機の判別手段、スロット変更手段の各機能は、コードレス電話装置２１Ａ〜２ｎＡの親機ＢＳ１Ａ〜ＢＳｎＡの制御回路４１のスロット制御部４１１が実現する。
【０２００】
また、図９〜図１２のフローチャートを用いて説明した方法が、この発明による方法の一実施の形態が適用されたものである。また、図９〜図１２のフローチャートを用いて説明した処理を行うプログラムを、主装置、ＳＩＰサーバ、構内交換装置などの上位装置のコンピュータで実行可能に搭載しておくことにより、この発明の上位装置を実現できる。
【０２０１】
また、図２２のフローチャートを用いて説明した方法が、この発明による他の方法の一実施の形態が適用されたものである。また、図２２のフローチャートを用いて説明した処理を行うプログラムを、コードレス電話装置の親機のコンピュータで実行可能に搭載しておくことにより、この発明の上位装置を実現できる。
【符号の説明】
【０２０２】
１…主装置、１２…制御回路（スロット管理部）、１４…スロット管理テーブル、２１〜２ｎ…コードレス電話装置、ＢＳ１〜ＢＳｎ…親機、ＨＳ１〜ＨＳｎ…子機、４１…制御回路、４４…無線通信回路、４４１…制御部、４４２…ＴＤＭＡ変復調部、４４３…無線通信部、５２…制御回路、５１…無線通信回路、５１１…制御部、５１２…ＴＤＭＡ変復調部、５１３…無線通信部、１Ａ…主装置、２１Ａ〜２ｎＡ…コードレス電話装置、ＢＳ１Ａ〜ＢＳｎＡ…親機、ＨＳ１Ａ〜ＨＳｎＡ…子機、４１１…スロット制御部、４４２２…キャリアセンス部
【図１】
0006315199.tif 000002
【図２】
0006315199.tif 000003
【図３】
0006315199.tif 000004
【図４】
0006315199.tif 000005
【図５】
0006315199.tif 000006
【図６】
0006315199.tif 000007
【図７】
0006315199.tif 000008
【図８】
0006315199.tif 000009
【図９】
0006315199.tif 000010
【図１０】
0006315199.tif 000011
【図１１】
0006315199.tif 000012
【図１２】
0006315199.tif 000013
【図１３】
0006315199.tif 000014
【図１４】
0006315199.tif 000015
【図１５】
0006315199.tif 000016
【図１６】
0006315199.tif 000017
【図１７】
0006315199.tif 000018
【図１８】
0006315199.tif 000019
【図１９】
0006315199.tif 000020
【図２０】
0006315199.tif 000021
【図２１】
0006315199.tif 000022
【図２２】
0006315199.tif 000023
【図２３】
0006315199.tif 000024
【図２４】
0006315199.tif 000025